(57)【要約】【課題】煩わしい操作を回避して、リモコン側の設定内容を本体側に反映させ、本体が動作する同じ設定内容をリモコンの表示部に表示させる扇風機を提供する。【解決手段】リモコン２は、扇風機本体１の動作を設定するリモコン操作部５８と、リモコン操作部５８で操作された設定内容を表示するリモコン表示部６１と、を備える。扇風機本体１は、リモコン２からの設定内容を受信部となる受光部６８で受信すると、設定内容記憶部８４に記憶されていた設定内容を可変し、その設定内容で送風部１３を含む負荷を制御する。リモコン操作部５８の転送ボタン５８Ｈが操作されると、扇風機本体１の設定内容記憶部８４に記憶されていた全ての設定内容をクリアさせ、リモコン２で記憶していた全ての設定内容を、扇風機本体１に新たに記憶させる再設定信号が送出される。【選択図】図１２
2020029856.tif 000002
【特許請求の範囲】
【請求項１】
送風機能を有する本体と、前記本体を遠隔操作するリモコンと、からなり、
前記リモコンは、前記本体の動作を設定するリモコン操作部と、前記リモコン操作部で操作された設定内容を表示するリモコン表示部と、を備え、
前記本体は、前記リモコンからの設定内容を受信すると、記憶されていた設定内容を可変し、その設定内容で前記送風機能を含む負荷を制御する構成とし、
前記リモコン操作部はリセット操作体を有し、
前記リセット操作体が操作されると、前記本体に記憶されていた全ての設定内容をクリアさせ、前記リモコンで記憶していた全ての設定内容を、前記本体に新たに記憶させる再設定信号が送出されるように、前記リモコンを構成したことを特徴とする扇風機。
【請求項２】
送風機能を有する本体と、前記本体を遠隔操作するリモコンと、からなり、
前記リモコンは、前記本体の動作を設定するリモコン操作部と、前記リモコン操作部で操作された設定内容を表示するリモコン表示部と、を備え、
前記本体は、前記リモコンからの設定内容を受信すると、記憶されていた設定内容を可変し、その設定内容で前記送風機能を含む負荷を制御する構成とし、
前記本体からの設定内容を受信すると、前記リモコンに記憶されていた設定内容を、当該本体からの設定内容に変更して記憶し、変更した設定内容を前記リモコン表示部に表示させるように、前記リモコンを構成したことを特徴とする扇風機。
【請求項３】
前記リモコン操作部による設定を行なった後は、前記リモコン表示部が消灯し、
前記リモコン操作部を再度操作した場合は、前記リモコン表示部が前回の設定内容を継続して表示、または初期状態の設定内容を表示するように構成したことを特徴とする請求項１記載の扇風機。
【請求項４】
前記本体は、少なくとも時間や時刻、温度、または湿度の状態情報を表示する本体表示部を備え、
前記本体表示部に連動して、前記リモコン表示部に同内容の状態情報を表示するように構成したことを特徴とする請求項２記載の扇風機。
【請求項５】
送風機能を有する本体と、前記本体を遠隔操作するリモコンと、からなり、
前記リモコンは、前記本体の動作を設定するリモコン操作部と、前記リモコン操作部で操作された設定内容を表示するリモコン表示部と、を備え、
前記本体は、前記本体の動作を設定する本体操作部と、前記本体操作部で操作された設定内容を表示する本体表示部と、を備え、
前記リモコン表示部と前記本体表示部は同内容を表示し、且つ前記リモコン操作部による設定と前記リモコン表示部による表示は、前記本体操作部による設定と前記本体表示部による表示よりも多段階に可能な構成としたことを特徴とする扇風機。
【請求項６】
前記リモコン表示部は、電池の駆動で表示可能なバックライト付きのＬＣＤで構成され、
前記リモコン操作部への操作時には前記バックライトを点灯し、前記リモコン操作部を操作しない時には前記バックライトを消灯する構成としたことを特徴とする請求項１〜５の何れか一つに記載の扇風機。
【請求項７】
前記電池の残量が所定値よりも低下した場合は、前記リモコン操作部への操作時に、前記バックライトを点灯せずに消灯のままとするか、または前記ＬＣＤに前記電池の残量を表示させる構成としたことを特徴とする請求項６記載の扇風機。
【請求項８】
前記本体は、底面をなすベースと、前記ベースの上方に設けられる送風ファンとの間に支柱を備えて構成され、
前記リモコンは前記支柱に着脱可能に具備され、
前記本体に前記リモコンを装着した状態で、前記リモコン表示部の表示を維持可能に構成したことを特徴とする請求項１〜７の何れか一つに記載の扇風機。
【請求項９】
前記リモコンの外観色を前記支柱と同じまたは同系の色としたことを特徴とする請求項８記載の扇風機。
【請求項１０】
前記本体は、ガードで囲まれた送風ファンを備え、
前記リモコンは、前記ガードの外面に着脱可能に具備され、前記本体の動作中に前記リモコン表示部の表示を継続し、かつ前記リモコン操作部への操作を受付ける構成としたことを特徴とする請求項１〜７の何れか一つに記載の扇風機。
【請求項１１】
前記リモコンは発信手段を備え、
前記本体は、前記発信手段からの信号により、前記リモコンの位置方向を検索できる構成としたことを特徴とする請求項１〜１０の何れか一つに記載の扇風機。
【請求項１２】
前記リモコンは、駆動電源として二次電池を備え、
前記本体は充電手段を備え、前記リモコンを前記本体に装着したときに、前記充電手段により前記二次電池への充電を可能に構成したことを特徴とする請求項１〜１１の何れか一つに記載の扇風機。
【請求項１３】
前記本体の種類は、タワー型、壁掛け式、或いはサーキュレータータイプを含むことを特徴とする請求項１〜７，１０〜１２の何れか一つに記載の扇風機。
【発明の詳細な説明】
【技術分野】
【０００１】
本発明は、送風機能を有する本体と、本体を遠隔操作するリモコンと、を備えた扇風機に関する。
【背景技術】
【０００２】
従来の技術として、例えば特許文献１には、本体の遠隔操作を可能にするリモコンを、本体のファンガードの正面中央部に着脱自在に備えた扇風機が開示されている。また特許文献２には、本体に操作部とＬＥＤ表示部を設ける一方で、リモコンにも同様の操作部とＬＥＤ表示部を設け、本体からの作動状態信号を受けて、リモコン側のＬＥＤ表示部に本体の作動状態を一定時間だけ表示させる扇風機が開示されている。
【０００３】
本体とリモコンに操作部と表示部をそれぞれ備えた電気機器は、例えば特許文献３にも開示されており、ここではリモコン側の操作部で設定を変更する設定情報を本体側で受け付けると、その変更した設定情報と、予めメモリに記憶してある設定情報とを比較し、異なる設定情報が複数あればこれを点滅表示させて、相違する設定情報をユーザに注意喚起させる考えが示されている。
【先行技術文献】
【特許文献】
【０００４】
【特許文献１】実開平４−７９９９３号公報
【特許文献２】特開平７−２７４２６４号公報
【特許文献３】特開２００７−６４５５５号公報
【発明の概要】
【発明が解決しようとする課題】
【０００５】
従来の問題点として、リモコン側の設定と本体側の設定が異なっていることに気付いて、リモコンの表示部に現在表示されている設定情報を本体側に反映させたい場合、特許文献３の扇風機では、リモコン側で操作部を操作して一旦別な設定情報に変更してから、元の設定情報に戻すように再操作しなければならず、操作が煩わしい。
【０００６】
また特許文献２の扇風機では、リモコン側で本体の作動状態を表示させるのに、本体側からの作動状態信号をその都度受信しなければならず、リモコン側の操作で設定した内容をリモコンの表示部に表示させる場合には、現在の表示がリモコン側の設定内容なのか、或いは作動状態信号に基づく本体側の設定内容なのか理解できない。
【０００７】
その他にも特許文献２，３では、リモコン側の操作部で操作できる内容が、本体側の操作部で設定できる内容に限られてしまうため、手元操作が可能なリモコンの使い勝手の良さを十分に活用できない。
【０００８】
本発明は、上記課題を解決するのになされたもので、煩わしい操作を回避して、リモコン側の設定内容を本体側に反映させ、本体が動作する同じ設定内容をリモコンの表示部に表示させることが可能な扇風機を提供することを、第１の目的とする。
【０００９】
本発明の第２の目的は、本体からリモコンへの一度の送信だけで、本体側の動作を反映した設定内容を、リモコンの表示部に常に表示させることが可能な扇風機を提供することにある。
【００１０】
本発明の第３の目的は、リモコン側での操作内容を充実させて、リモコンの使い勝手の良さを十分に活用できる扇風機を提供することにある。
【課題を解決するための手段】
【００１１】
本発明は、送風機能を有する本体と、前記本体を遠隔操作するリモコンと、からなり、前記リモコンは、前記本体の動作を設定するリモコン操作部と、前記リモコン操作部で操作された設定内容を表示するリモコン表示部と、を備え、前記本体は、前記リモコンからの設定内容を受信すると、記憶されていた設定内容を可変し、その設定内容で前記送風機能を含む負荷を制御する構成とし、前記リモコン操作部はリセット操作体を有し、前記リセット操作体が操作されると、前記本体に記憶されていた全ての設定内容をクリアさせ、前記リモコンで記憶していた全ての設定内容を、前記本体に新たに記憶させる再設定信号が送出されるように、前記リモコンを構成した扇風機である。
【００１２】
また本発明は、送風機能を有する本体と、前記本体を遠隔操作するリモコンと、からなり、前記リモコンは、前記本体の動作を設定するリモコン操作部と、前記リモコン操作部で操作された設定内容を表示するリモコン表示部と、を備え、前記本体は、前記リモコンからの設定内容を受信すると、記憶されていた設定内容を可変し、その設定内容で前記送風機能を含む負荷を制御する構成とし、前記本体からの設定内容を受信すると、前記リモコンに記憶されていた設定内容を、当該本体からの設定内容に変更して記憶し、変更した設定内容を前記リモコン表示部に表示させるように、前記リモコンを構成した扇風機である。
【００１３】
また本発明は、送風機能を有する本体と、前記本体を遠隔操作するリモコンと、からなり、前記リモコンは、前記本体の動作を設定するリモコン操作部と、前記リモコン操作部で操作された設定内容を表示するリモコン表示部と、を備え、前記本体は、前記本体の動作を設定する本体操作部と、前記本体操作部で操作された設定内容を表示する本体表示部と、を備え、前記リモコン表示部と前記本体表示部は同内容を表示し、且つ前記リモコン操作部による設定と前記リモコン表示部による表示は、前記本体操作部による設定と前記本体表示部による表示よりも多段階に可能な構成とした扇風機である。
【発明の効果】
【００１４】
請求項１の発明では、リモコン側の設定内容と本体側の設定内容が一致しない場合は、リセット操作体を操作するだけで、本体側の設定内容を一旦クリアさせた後に、リモコン側の全ての設定内容を本体側に新たに記憶させることができる。そのため、煩わしい操作を回避して、リモコン側の設定内容を本体側に反映させ、本体が動作する同じ設定内容をリモコンの表示部に表示させることが可能になる。またこれは、リモコン側からの遠隔操作に伴い本体側の設定内容を変更する通常の処理の前に、本体側の設定内容をクリアする処理を加えるだけで実現可能なため、扇風機としてのソフトウェア構成を簡略化できる。
【００１５】
請求項２の発明では、リモコンが本体側の動作を反映した設定内容を一度受信すれば、リモコン側でそれまで記憶されていた設定内容が、受信した設定内容に変更して記憶され、以後その変更した設定内容がリモコンの表示部に表示される。そのため、本体からリモコンへの一度の送信だけで、本体側の動作を反映した設定内容を、リモコンの表示部に常に表示させることが可能になる。
【００１６】
請求項３の発明では、リモコン操作部による設定後にリモコン表示部を消灯させることで、リモコンの省電力化を図ることができる。また、リモコンを再度使用する際に、前回の設定内容若しくは初期状態の設定内容をリモコン表示部に表示させるので、リモコンとしての使い勝手を向上させることができる。
【００１７】
請求項４の発明では、本体表示部に表示される状態情報の内容を、使用者の手元でリモコン表示部からの表示により直ちに確認できる。
【００１８】
請求項５の発明では、リモコン操作部から操作できる設定内容と、それによりリモコン表示部で表示できる設定内容の数は、本体操作部から操作できる設定内容と、それにより本体表示部で表示できる設定内容の数よりも多い。したがって、リモコン側での操作内容を充実させて、リモコンの使い勝手の良さを十分に活用できる扇風機を提供できる。
【００１９】
請求項６の発明では、リモコン操作部への操作時には、ＬＣＤをバックライトで明るくしてリモコン表示部の視認性を良好にし、リモコン操作部への操作をしない時には、バックライトを消灯して電池の電力消費を抑制することができる。
【００２０】
請求項７の発明では、電池の残量が低下したら、リモコン操作部を操作してもバックライトを消灯のままにして、電池の電力消費を抑制することができ、或いは電池の残量が低下していることを、使用者の手元でリモコン表示部からの表示により確認できる。
【００２１】
請求項８の発明では、本体の支柱にリモコンを装着しておけば、使用者はリモコン表示部からの表示により、本体動作の設定内容などを何時でも確認できる。
【００２２】
請求項９の発明では、本体の支柱にリモコンを装着した状態で、リモコンと本体とを一体的に見せることができ、扇風機としての美観が向上する。
【００２３】
請求項１０の発明では、本体のガードの外面にリモコンを装着しておけば、使用者は本体の動作中に、リモコン表示部からの表示により、本体動作の設定内容などを何時でも確認でき、またリモコン操作部への操作により、本体動作の設定内容などを何時でも変更できる。
【００２４】
請求項１１の発明では、使用者がリモコンを見失っても、本体側の検索機能によりリモコンの位置方向を特定できる。
【００２５】
請求項１２の発明では、リモコンを本体に装着すると、リモコンの駆動電源となる二次電池を充電できるので、電池交換などの煩わしさを省くことができる。
【００２６】
請求項１３の発明では、支柱の上方に送風ファンを有する扇風機に限らず、様々な種類の扇風機にも適用できる。
【図面の簡単な説明】
【００２７】
【図１】本発明の第１実施例における扇風機本体からリモコンを取り付けた状態の扇風機の全体斜視図である。
【図２】同上、扇風機本体にリモコンを取り外した状態の扇風機の全体斜視図である。
【図３】同上、扇風機本体の要部となる送風部の一部を拡大した分解斜視図である。
【図４】同上、リモコン単体を手で保持した状態を示す図である。
【図５】同上、リモコンの平面図である。
【図６】同上、リモコンの分解斜視図である。
【図７】同上、リモコンの斜視図である。
【図８】同上、リモコンの正面図である。
【図９】同上、リモコンの右側面図である。
【図１０】同上、扇風機本体とリモコンとの着脱機構を示す扇風機の要部断面図である。
【図１１】同上、リモコンを扇風機本体に装着した状態での使用の様子を示す写真である。
【図１２】同上、扇風機の主な電気的構成を示すブロック図である。
【図１３】同上、運転入／切ボタンを操作したときのリモコン側の制御を示すフローチャートである。
【図１４】同上、風量ＵＰボタンを操作したときのリモコン側の制御を示すフローチャートである。
【図１５】同上、風量ＤＯＷＮボタンを操作したときのリモコン側の制御を示すフローチャートである。
【図１６】同上、転送ボタンを操作したときのリモコン側の制御を示すフローチャートである。
【図１７】同上、オールリセットコードを受信したときの扇風機本体側の制御を示すフローチャートである。
【図１８】本発明の第２実施例における扇風機本体からリモコンを取り付けた状態の扇風機の全体斜視図である。
【図１９】同上、扇風機本体にリモコンを取り外した状態の扇風機の全体斜視図である。
【図２０】同上、扇風機本体の要部となる送風部の一部を拡大した分解斜視図である。
【図２１】同上、扇風機本体の要部となるベースから支柱にかけての斜視図である。
【図２２】同上、ベースの要部平面図である。
【図２３】同上、扇風機の主な電気的構成を示すブロック図である。
【図２４】本発明の第３実施例における扇風機本体にリモコンを取り付けた状態の扇風機の全体斜視図である。
【図２５】同上、扇風機本体にリモコンを取り付けた状態の扇風機の全体平面図である。
【図２６】同上、扇風機本体にリモコンを取り付けた状態の扇風機の全体側面図である。
【発明を実施するための形態】
【００２８】
以下、添付図面を参照しつつ、本発明における扇風機の好ましい幾つかの実施例について、添付図面を参照しながら詳細に説明する。なお、各実施例で同一の部分には同一の符号を付し、共通する箇所の説明は重複を避けるため極力省略する。
【実施例１】
【００２９】
図１および図２は、何れも本発明の第１実施例における扇風機本体１とリモコン２からなる扇風機の外観を示している。また図３は、扇風機本体１の要部分解図である。
【００３０】
これらの各図において、送風を行なうための扇風機本体１は、室内の床面Ｓなどに載置されるベース１１と、ベース１１から上方に向かう支柱１２と、風を送り出す送風部１３と、送風部１３を任意の方向に首振り運動させるための首振り装置１４と、を主な構成要素とする。支柱１２の上端部には送風部１３が設けられ、送風部１３の後部には首振り装置１４が設けられる。ベース１１と支柱１２は、扇風機本体１のスタンドとなる支持基体１５を構成し、この支持基体１５により、送風部１３および首振り装置１４が床面Ｓより所定の高さに支持される。なお首振り装置１４は、扇風機本体１に対して送風部１３を左右の水平方向にだけでなく、上下の垂直（俯仰）方向にも単独若しくは両方で揺動させる構成としてもよい。
【００３１】
基台となる樹脂製のベース１１は、扇風機本体１が容易に倒れないように、その外形が平面視でほぼ円形をなす扁平状に形成される。またベース１１には、扇風機本体１の各部へ給電するための電源プラグ付きコード（図示せず）が、巻取り可能に設けられる。なお本実施例では、ベース１１の上面前方に、本体表示部として運転ランプ１７だけが設けられ、本体操作部となる操作スイッチなどを扇風機本体１に設けない構成となっている。
【００３２】
支持部となる支柱１２は、首振り装置１４を含めた送風部４を昇降可能にする昇降装置をなすもので、ベース１１の上面から垂直に延びる筒状の支柱基部１８と、この支柱基部１８の内側に上下摺動自在に組み付けられた摺動杆１９とからなり、支柱基部１８の上部後方に設けたロック釦２０を、図示しない弾性体の付勢力に抗して押動することにより、支柱基部１８と摺動杆１９との係合が解除されて、送風部１３や首振り装置１４を支持する摺動杆１９が、支柱基部１８に対して上下に摺動するようになっている。なお支持基体１５として、本実施例のようなベース１１と支柱１２との組み合わせに代わり、床Ｓに直接載置される三脚を用い、それぞれの脚部を伸縮可能とすることで、三脚の上部に設けた送風部１３と首振り装置１４を昇降可能に支持する構成としてもよい。
【００３３】
送風部１３は、駆動源としてのモータに相当するＤＣ（直流）ファンモータ２１と、このＤＣファンモータ２１により回転駆動される羽根としての送風ファン２２と、送風ファン２２を囲む通気可能な網状のファンガード２３とからなる。送風ファン２２は、ＤＣファンモータ２１の前方に突出した回転軸（図示せず）に取付け固定され、複数の翼を放射状に配置して構成される。また、送風部１３のＤＣファンモータ２１と首振り装置１４の全体は、前側を開口した駆動部カバー２５により覆われており、この駆動部カバー２５の開口周縁にファンガード２３が取り付けられる。ここでは、送風部１３の駆動源としてＤＣファンモータ２１を採用しているので、ＤＣファンモータ２１に供給するパルス駆動信号のデューティを制御することで、送風ファン２２の回転数を任意に可変することができる。
【００３４】
ファンガード２３は、送風部１３からの送風を行なっているときに、回転する送風ファン２２に指などが触れないように、送風ファン２２全体を囲むガードとして設けられるもので、ここでは駆動部カバー２５の前部に取付け固定される後ガード２７と、後ガード２７の前面開口を塞ぐように配設される前ガード２８とにより構成される。またファンガード２３は、送風部１３による送風を極力妨げないように、ファンガード２３の全体に多数の通気孔を有して形成される。
【００３５】
ファンガード２３の側面部および後面部となる後ガード２７は、プラスチックなどの合成樹脂製で、送風ファン２２の後面に対向する円形の基部３１と、基部３１の外周端から前方に延びており、送風ファン２２の外周部に対向する中空円筒形の周縁部３２と、を主な構成要素とする。基部３１は、その中心にＤＣファンモータ２１の回転軸を挿通する孔（図示せず）が設けられ、駆動部カバー２５に対して所定の位置に取付け固定される。周縁部３２は、基部３１の外周端部よりファンガード２３の前方向に延びて形成され、その前端部には前ガード２８の外周部と連結する環形の連結部３３が一体的に形成される。
【００３６】
ファンガード２３の前面部となる前ガード２８は、リモコン２の外形に合せた外径形状を有し、ファンガード２３の中心部に配置される円板部３５と、円板部３５の外周側に金属製のワイヤーを接合して構成されるガードワイヤ３６と、プラスチックなどの合成樹脂製で、ガードワイヤ３６の外周部を取り囲むように装着される環形のリブ部材３７と、を主な構成要素とする。円板部３５は、ＤＣファンモータ２１の回転軸の延長線上に位置しており、ガードワイヤ３６は、円板部３５の外周から半径方向に延びる複数本の放射状ワイヤーと、その放射状ワイヤーの外端どうしを連結した環形ワイヤーとを組み合わせて構成される。前ガード２８の外周部をなすリブ部材３７は、後ガード２７の前面開口を前ガード２８が塞ぐように、後ガード２７の連結部３３に嵌合して着脱可能に取付けられる。
【００３７】
送風部１３には、送風ファン２２の回転に応じた明るさの表示を可能とするために、発電部４１、給電部４２と、表示部４３とからなる表示装置が組み込まれる。発電部４１は、ＤＣファンモータ２１により駆動する送風ファン２２の回転力を電力に変換するもので、送風ファン２２の回転円周上に等間隔で複数個（ここでは８個）配設された磁石４５と、送風ファン２２と共に回転する磁石４５の近傍に配置された発電コイル４６と、により主に構成される。磁力の発生源となる（永久）磁石４５は、ファン２２をＤＣファンモータ２１の回転軸に取付け固定するためのスピナー４７の前面側に配置される。また発電コイル４６は、磁石４５との磁気結合を図るために、スピナー４７の前側面と向かい合う円板部３５の後面側に、回転する磁石４５と対向して非接触に配置される。これにより発電部４１では、送風ファン２２が磁石４５と共に回転するのに伴い、発電コイル４６近傍で磁力の変化が生じ、発電コイル４６の両端間にファン２２の回転数に応じた誘導起電力が発生する構成となっている。
【００３８】
給電部４２は、発電部４１で発生した誘導起電力を、ファンガード２３に設けた表示部４３に供給するもので、ここでは表示部４３への配線となるリード線４８などで構成される。また表示部４３は、発電部４１からリード線４８を介して電力供給を受ける白色ＬＥＤ（発光ダイオード）４９と、円板部３５の表面を覆うように設けられ、白色ＬＥＤ４９からの光を導いて全体で発光する板状のモノグラム５０と、により構成される。発光素子となる一乃至複数の白色ＬＥＤ４９は、円板部３５の下側に位置して、モノグラム５０に向けて配置される。発光素子が発する光の色は、本実施例のような白色以外であっても構わない。導光体となるモノグラム５０は、イルミネーション効果を高めるために凹凸状の模様が施されており、モノグラム５０に導かれた光が、モノグラム５０の表面側全体から略均一に拡散発光する構成となっている。
【００３９】
５１Ａ，５１Ｂは、モノグラム５０の後（裏）面に設けられるモノグラムマグネットである。モノグラムマグネット５１Ａ，５１Ｂは、後述するリモコンマグネット５２Ａ，５２Ｂと共に、リモコン２を扇風機本体１に着脱可能にする着脱機構を構成するものである。この着脱機構については、後程別な図で説明する。
【００４０】
リモコン２は、扇風機本体１を離れた場所から操作する遠隔操作体として、扇風機本体１と別体に備えてある。図４〜図９は、リモコン２単体を示したものであるが、これらの各図において、本実施例のリモコン２は平面視で円形扁平状をなし、表面に文字シート５５を貼着した上ケース５６と、上ケース５６の下面開口を塞ぐ下ケース５７とにより、リモコン２の外郭部材が形成される。上ケース５６と下ケース５７で囲まれたリモコン２の内部空間には、上述したリモコンマグネット５２Ａ，５２Ｂの他に、複数の操作ボタン５８Ａ〜５８Ｈからなる操作手段としてのリモコン操作部５８と、ＬＣＤ（液晶ディスプレイ）５９およびバックライト６０の組み合わせで構成される表示手段としてのリモコン表示部６１と、平面視で半円状のプリント基板６２Ａ，６２Ｂと、後述のリモコン送信部６３となる赤外ＬＥＤ６３Ａ，６３Ｂと、リモコン２の制御手段となるマイコン（マイクロコンピュータ）６４と、リモコン２の電源となる電池６５Ａ，６５Ｂと、電池６５Ａ，６５Ｂを収容保持する電池ケース６６が、それぞれ配設される。
【００４１】
プリント基板６２Ａ，６２Ｂは、図示しないが何れも絶縁基材に導電性の配線パターンを印刷形成したものであり、プリント基板６２Ａの表側にはリモコン表示部６１が実装され、プリント基板６２Ａの裏側には赤外ＬＥＤ６３Ａとマイコン６４が実装されるのに対し、プリント基板６２Ｂの表側にはリモコン操作部５８のスイッチ接点（図示せず）が実装され、プリント基板６２Ｂの裏側には赤外ＬＥＤ６３Ｂと電池６５Ａ，６５Ｂが実装される。プリント基板６２Ａ，６２Ｂ間の配線パターンは電気的に接続されており、電池６５Ａ，６５Ｂからの電力を、リモコン表示部６１と、赤外ＬＥＤ６３Ａ，６３Ｂと、マイコン６４にそれぞれ供給できるように構成されている。
【００４２】
リモコン２の表側に設けられるリモコン操作部５８は、何れも使用者の押動操作が可能な複数の操作体として、運転入／切ボタン５８Ａと、首振りボタン５８Ｂと、ランダム切換ボタン５８Ｃと、風量ＵＰボタン５８Ｄと、風量ＤＯＷＮボタン５８Ｅと、タイマ切ボタン５８Ｆと、タイマ入ボタン５８Ｇと、転送ボタン５８Ｈと、を備える。この中の転送ボタン５８Ｈは、扇風機本体１への再設定信号の送出を指示するリセット操作体として、他のボタン５８Ａ〜５８Ｇとは別個に独立して設けられる。
【００４３】
同様に、リモコン２の表側に設けられるリモコン表示部６１は、裏側からバックライト６０が照射されるＬＣＤ５９に、例えば「90°」や「50°」と表示する首振り角度表示部５９Ａと、例えば「ランダム」と表示するランダム表示部５９Ｂと、例えば「０」〜「９」のアラビア数字を表示する７セグメントのレベル表示部５９Ｃと、例えば「１」や「２」や「４」と表示するタイマ切時間表示部５９Ｄと、例えば「２」や「４」や「６」と表示するタイマ入時間表示部５９Ｅが、それぞれ設けられる。
【００４４】
そして本実施例では、リモコン操作部５８を構成するボタン５８Ａ〜５８Ｈの何れかを押す毎に、そのボタン５８Ａ〜５８Ｈに対応した固有のコードを含む赤外線信号が赤外ＬＥＤ６３Ａ，６３Ｂから無線で送信され、この赤外線信号を受信した扇風機本体１が、送風部１３や首振り装置１４の動作を遠隔操作する構成となっている。なお、上述したリモコン２の各部の形状や配置や数については、本実施例で説明したものに限定されない。
【００４５】
再び図１〜図３に戻って扇風機本体１の構成を説明すると、６８はベース１１の前側部に設けられ、リモコン２の赤外ＬＥＤ６３Ａ，６３Ｂからの赤外線信号を受信する受光部である。扇風機本体１の例えばベース内部１１には、ＣＰＵ（Central Processing Unit）やメモリなどを含む制御部６９が組み込まれており、制御部６９がメモリに記録されたコンピュータプログラムを実行することにより、受光部６８で受信したリモコン２からの赤外線信号を受けて、扇風機本体１の負荷、すなわち運転ランプ１７や、送風部１３のＤＣファンモータ２１や、首振り装置１４の駆動源となる首振りモータ７９（図１２参照）に制御信号を送出して、これらを適切に制御する構成となっている。
【００４６】
図１０は、扇風機本体１とリモコン２との着脱機構を示したものである。特にここでは、何れも永久磁石からなるモノグラムマグネット５１Ａ，５１Ｂとリモコンマグネット５２Ａ，５２Ｂの極性を示すために、それぞれの符号に続けて、Ｎ極となる「Ｎ」と、Ｓ極となる「Ｓ」を明記している。
【００４７】
同図において、本実施例のリモコン２は、内蔵するリモコンマグネット５２Ａ，５２Ｂが、扇風機本体１に備えたモノグラムマグネット５１Ａ，５１Ｂに吸着することで、ファンガード２３の外面となるモノグラム５０の前面に掛り止めされる。扇風機本体１側のモノグラムマグネット５１Ａ，５１Ｂは、モノグラム５０の後面の上下２か所に設けられ、これに対向してリモコン２側のリモコンマグネット５２Ａ，５２Ｂも、下ケース５７の内底面の２か所に設けられる。そして、上部のモノグラムマグネット５１Ａに一方のリモコンマグネット５２Ａが吸着し、且つ下部のモノグラムマグネット５１Ｂに他方のリモコンマグネット５２Ｂが吸着することで、扇風機本体１を前面から見て、文字シート５５に印刷形成される文字や、リモコン表示部６１の表示が正しい方向を向いた状態で、リモコン２をモノグラム５０の前面にぐらつかないように固定できる。
【００４８】
上部のモノグラムマグネット５１Ａは、モノグラム５０の後面にＳ極が向かうように配置される一方で、下部のモノグラムマグネット５１Ｂは、モノグラム５０の後面にＮ極が向うように配置される。これに対して、モノグラムマグネット５１Ａに吸着されるリモコンマグネット５２Ａは、下ケース５７の内底面にＮ極が向かうように配置される一方で、モノグラムマグネット５１Ｂに吸着されるリモコンマグネット５２Ｂは、下ケース５７の内底面にＳ極が向かうように配置される。このように、モノグラムマグネット５１Ａ，５１Ｂの極性を逆にして配置することで、上部のモノグラムマグネット５１Ａに他方のリモコンマグネット５２Ｂが吸着したり、下部のモノグラムマグネット５１Ｂに一方のリモコンマグネット５２Ａが吸着したりするのを回避し、簡単な構成でありながらリモコン２が上下逆に装着されるのを防ぐことができる。
【００４９】
図１１は、本実施例の扇風機において、リモコン２を扇風機本体１に装着した状態で、使用者Ｕがスイッチ操作を行なう様子を示したものである。前ガード２８の正面側で、文字シート５５の文字やリモコン表示部６１の表示を正しく向けた状態で、リモコン２を前ガード２８の円板部３５に取付けたモノグラム５０に近付ける。すると、モノグラムマグネット５１Ａ，５１Ｂとリモコンマグネット５２Ａ，５２Ｂとの間の磁力が作用して、リモコン２の裏面が自ずとモノグラム５０に吸着され、リモコン操作部５８やリモコン表示部６１を表に向けた状態で、リモコン２をモノグラム５０の外面へ簡単に掛り止め保持できる。このとき、リモコン２は文字シート５５の文字やリモコン表示部６１の表示が上下逆になることなく、正しい方向に装着されるので、使用者Ｕは常に決められた方向でリモコン操作部５８への操作を行ない、またリモコン表示部６１からの表示を確認できる。また、ここからマグネットの磁力に抗して、リモコン２をモノグラム５０から簡単に取り外すことも可能である。
【００５０】
扇風機本体１とリモコン２との着脱機構を構成するモノグラムマグネット５１Ａ，５１Ｂとリモコンマグネット５２Ａ，５２Ｂは、首振り装置１４により上下左右に揺動する送風部１３がどのような姿勢にあっても、リモコン２がモノグラム５０から脱落しない程度の磁力を有するのが好ましい。但し、モノグラムマグネット５１Ａ，５１Ｂとリモコンマグネット５２Ａ，５２Ｂとの間の磁力が強過ぎると、今度はリモコン２をモノグラム５０から取り外すのに支障を来たすので、そのときにリモコン２と共に前ガード２８が後ガード２７の連結部３３から外れたり、扇風機本体１が床面から倒れたりしない程度の磁力に抑えるのが好ましい。
【００５１】
なお、モノグラムマグネット５１Ａ，５１Ｂは、上下に限らず一方と他方に離れて設けられていればよい。その場合も、リモコン２が常に前述の正しい方向に扇風機本体１へ装着されるようにする。またモノグラム５０に限らず、ファンガード２３の前面を形成する部材の裏側に、モノグラムマグネット５１Ａ，５１Ｂと同等の永久磁石を配設してもよい。
【００５２】
図１２は、扇風機の主な電気的構成を示したものである。同図において、リモコン２に内蔵する制御部としてのマイコン６４は、電池６５Ａ，６５Ｂなどのバッテリーを含む電源手段７１からの電力供給を受けて動作するもので、その入力ポートには、リモコン操作部５８の各ボタン５８Ａ〜５８Ｈに対応したスイッチ接点と、インターネットなどへの接続を可能とするＵＳＢ端子を含む外部接続手段７２と、電池６５Ａ，６５Ｂの残量を検知するのに、電源手段７１に組み込まれる電池残量検知部７３が電気的に接続される。また、マイコン６４の出力ポートには、赤外ＬＥＤ６３Ａ，６３Ｂや無線ユニットとなるリモコン送信部６３と、ＬＣＤ５９およびバックライト６０を含むリモコン表示部６１が電気的に接続される。
【００５３】
この中で外部接続手段７２は、リモコン２をスタンドアローンとしてではなく、外部の通信手段であるインターネットに接続するのを可能にし、これにより例えば更新された「リズム風」で、扇風機本体１の送風部１３を制御できる機能を有する。また電池残量検知部７３は、例えば電池６５Ａ，６５Ｂの両端間電圧を検知する電圧検知回路などを含み、ここからの検知結果に基づいて電池６５Ａ，６５Ｂの残量を検知してもよい。
【００５４】
リモコン２側のマイコン６４は、ソフトウェア上の機能として、主にリモコン送信部６３を制御する送信制御部７５と、リモコン表示部６１の動作を制御する表示制御部７６と、をそれぞれ備えている。またリモコン２は、時間や期間をカウントするカウンタとしての計時部（図示せず）を備える他に、リモコン操作部５８への操作で設定できる扇風機本体１の動作として、例えば扇風機本体１の運転状態や、送風部１３からの風量や、首振り装置１４による送風部１３の上下左右の首振り範囲や、送風部１３からの送風の種類（連続風またはランダム風）や、扇風機本体１の運転を自動的にオンする時間（タイマ入時間）や、扇風機本体１の運転を自動的にオフする時間（タイマ切時間）などの設定内容を記憶保持する設定内容記憶部７７を、記憶部となるメモリ７８の一部領域に備えている。
【００５５】
送信制御部７５は、リモコン操作部５８の各ボタン５８Ａ〜５８Ｈの何れかから操作信号を受けるたびに、固有のコードを含んだ赤外線信号が送出されるようにリモコン送信部６３を制御するものである。また、本実施例の送信制御部７５は、リモコン操作部５８の各ボタン５８Ａ〜５８Ｈの中で、上述した扇風機本体１の動作を設定できるボタン５８Ａ〜５８Ｇからの操作信号を受付けると、その操作したボタン５８Ａ〜５８Ｇに応じた変更後の設定内容を設定内容記憶部７７に上書き更新させる一方で、特に転送ボタン５８Ｈからの操作信号を受け付けると、扇風機本体１の後述する設定内容記憶部８４に記憶されている全ての設定内容をクリアさせ、その後にリモコン２の設定内容記憶部７７に記憶されている全ての設定内容が、扇風機本体の設定内容記憶部８４に新たに記憶されるような再設定用の赤外線信号（再設定信号）を、リモコン送信部６３から送出させる機能を有する。
【００５６】
表示制御部７６は、上述の設定内容記憶部７７に上書き更新された変更後の設定内容を、リモコン表示部６１に表示させるものである。特に表示制御部７６は、ボタン５８Ａ〜５８Ｇによる扇風機本体１の動作設定を行なった後に、一定時間が経過したらリモコン表示部６１を消灯させ、リモコン操作部５８を再度操作した場合には、リモコン表示部６１が設定内容記憶部７７に記憶されている前回の設定内容を継続して表示するか、或いはデフォルトで記憶されている初期状態の設定内容を表示するように制御する機能を有する。
【００５７】
具体的には、一定時間の経過でリモコン表示部６１が消灯した後、所定の期間が経過するまでは、リモコン操作部５８の各ボタン５８Ａ〜５８Ｈの何れかを最初に操作すると、設定内容記憶部７７に記憶されていた前回の設定内容がリモコン表示部６１に表示される。それに対して、一定時間の経過でリモコン表示部６１が消灯した後、所定の期間が経過して、例えば次のシーズンに扇風機を使用する際に、リモコン操作部５８の各ボタン５８Ａ〜５８Ｈの何れかを最初に操作すると、今度は製品出荷時点で記憶されている初期状態の設定内容がリモコン表示部６１に表示される。そこからはどちらも、リモコン操作部５８の中でボタン５８Ａ〜５８Ｇの何れかを操作すると、その操作を反映した変更後の設定内容が設定内容記憶部７７に上書き記憶され、またリモコン表示部６１に変更後の設定内容が一定時間表示されるようになっている。
【００５８】
また本実施例のように、電池６５Ａ，６５Ｂからの電力供給で表示が可能なバックライト６０付きのＬＣＤ５９でリモコン表示部６１が構成される場合、リモコン操作部５８への操作時には、ＬＣＤ５９に設定内容を表示させた状態でバックライト６０を一定時間だけ点灯させ、リモコン操作部５８を操作しない時にはバックライト６０を消灯させて、バックライト６０を一定時間だけ点灯させた後は、次にリモコン操作部５８を操作しない限り、バックライト６０は消灯させたままにするように、表示制御部７６を構成してもよい。この場合、バックライト６０の消灯中は使用者が手元で設定内容を確認できるように、引き続きＬＣＤ５９に設定内容を表示させてもよいし、さらに電池６５Ａ，６５Ｂの電力消費を抑えるために、バックライト６０と共にＬＣＤ５９を消灯させてもよい。
【００５９】
その他に表示制御部７６は、電池残量検知部７３で検知した電池６５Ａ，６５Ｂの残量が、予め設定した所定値よりも低下したら、リモコン操作部５８への操作時に、バックライト６０を点灯せずに消灯させたまま、ＬＣＤ５９に上述の設定内容を表示させるか、またはＬＣＤ５９の例えばレベル表示部５９Ｃに、電池６５Ａ，６５Ｂの残量をレベルで表示させる機能を有している。
【００６０】
扇風機本体１のベース１１内に配設された制御部６９は、その入力ポートにリモコン２からの赤外線信号を受ける受光部６８が電気的に接続される。また、制御部６９の出力ポートには、送風部１３の駆動源となるＤＣファンモータ２１や、扇風機本体１の動作状態を示す運転ランプ１７や、首振り装置１４に組み込まれる首振り用モータ７９が、それぞれ扇風機本体１の負荷として接続される。
【００６１】
制御部６９は、マイコンによるソフトウェア上の機能として、主にＤＣファンモータ２１の動作を制御する送風制御部８１と、運転ランプ１７の動作を制御する運転ランプ制御部８２と、首振り用モータ７９の動作を制御する首振り制御部８３と、をそれぞれ備えている。また制御部６９は、例えば入タイマや切タイマなどのタイマ動作のために、時間や時刻をカウントするカウンタとしての計時部（図示せず）を備える他に、扇風機本体１の運転中はもとより、扇風機本体１の運転を停止した後も、上述した扇風機本体１の設定内容を記憶保持する設定内容記憶部８４を、記憶部となるメモリ８５の一部領域に備えている。
【００６２】
次に、上記構成の扇風機について、その作用を図１３〜図１７のフローチャートに基づいて説明する。
【００６３】
図１３は、運転入／切ボタン５８Ａを操作したときのリモコン２側の制御手順を示したものである。同図において、リモコン２の送信制御部７５は、ステップＳ１で運転入／切ボタン５８Ａへの操作に伴う操作信号を受付けると、次のステップＳ２で、設定内容記憶部７７に記憶していた設定内容の中で、現在の扇風機本体１の運転状態が運転中であるか否かを判断する。ここでは、扇風機本体１の運転状態を送風機１３からの風量のレベル（例：０〜７の８段階。０は送風しておらず、１から数字が高くなるに従い、風量も増加するが、これに限定されない。）で記憶しており、風量が１〜７の何れかのレベルであれば、リモコン２の送信制御部７５は、扇風機本体１が運転中であると判断して、次のステップＳ３で、その運転中の風量のレベルを、送風部１３からの風量のレベルとして設定内容記憶部７７に上書き記憶させる。また次のステップＳ４で、扇風機本体１の運転状態を風量のレベルが０、すなわち切にするとして、設定内容記憶部７７に上書き記憶させる。
【００６４】
一方、前述のステップＳ２で、風量が０のレベルであれば、リモコン２の送信制御部７５は、扇風機本体１が運転中ではなく切であると判断して、次のステップＳ５で、設定内容記憶部７７に記憶していた送風部１３からの風量のレベルを、扇風機本体１の運転状態として設定内容記憶部７７に上書き記憶させる。
【００６５】
その後は何れも、ステップＳ６に移行して、設定内容記憶部７７に記憶されている送風部１３からの風量のレベルを、表示制御部７６がリモコン表示部６１に表示させる。このとき、ＬＣＤ５９を背後からバックライト６０で照射してリモコン表示部６１の視認性を良好にするために、リモコン表示部６１は、ＬＣＤ５９のレベル表示部５９Ｃに、変更後の設定内容として送風部１３からの風量のレベルを表示した状態で、バックライト６０が一定時間だけ点灯する。
【００６６】
そして、次のステップＳ７において、リモコン２の送信制御部７５は、扇風機本体１の運転を切替えるための運転入／切コードを含んだ赤外線信号を、リモコン送信部６３から送信させ、リモコン２としての一連の動作をステップＳ８で終了する。
【００６７】
この赤外線信号が扇風機本体１の受光部６８に到達すれば、それまで切状態であった扇風機本体１は、制御部６９により運転が開始し、運転ランプ制御部８２は運転ランプ１７を消灯から点灯に切替える制御信号を送出する。また、送風制御部８１は設定内容記憶部８４に記憶保持されていた風量のレベルで、送風部１３からの送風が行われるように、ＤＣファンモータ２１に適切な駆動信号を供給するための制御信号を送出すると共に、首振り制御部８３も、設定内容記憶部８４に記憶保持されていた記憶保持された首振り範囲で、送風部１３が揺動するように、首振り用モータ７９に適切な駆動信号を供給するための別な制御信号を送出する。
【００６８】
一方、扇風機本体１が運転中の状態で、運転入／切コードを含んだ赤外線信号が受光部６８に到達すれば、制御部６９により扇風機本体１の運転が停止して切状態となり、運転ランプ制御部８２は運転ランプ１７を点灯から消灯に切替える。何れの場合も制御部６９は、リモコン２からの運転入／切コードを含んだ赤外線信号を受光部６８で受信すると、扇風機本体１とリモコン２との設定内容を一致させるために、リモコン２のステップＳ２〜Ｓ５と同様の手順を、設定内容記憶部８４との間で実行する。
【００６９】
図１４は、風量ＵＰボタン５８Ｄを操作したときのリモコン２側の制御手順を示したものである。同図において、リモコン２の送信制御部７５は、ステップＳ１１で風量ＵＰボタン５８Ｄへの操作に伴う操作信号を受付けると、次のステップＳ１２で、設定内容記憶部７７に記憶していた現在の扇風機本体１の運転状態が、運転中であるか否かを判断する。扇風機本体１の運転状態は送風機１３からの風量のレベルで記憶しているので、風量が１〜７の何れかのレベルであれば、リモコン２の送信制御部７５は、扇風機本体１が運転中であると判断して、次のステップＳ１３で、その風量のレベルに１を加えた新たな風量のレベルを、扇風機本体１の運転状態と送風部１３からの風量のレベルとして設定内容記憶部７７に上書き記憶させる。但しここでは、風量の最高レベルを予め「７」としているため、次のステップＳ１４で新たな風量が最高レベルである７よりも大きかったら、ステップＳ１５でこれを７にしてステップＳ１６に移行し、ステップＳ１４で新たな風量が７以下であれば、そのままにしてステップＳ１６に移行する。
【００７０】
一方、前述のステップＳ１２で、扇風機本体１の運転状態が風量０のレベルとして記憶されていれば、設定内容記憶部７７に記憶している扇風機本体１の運転状態と送風部１３からの風量のレベルはそのまま変更後の設定内容にして、ステップＳ１６に移行する。
【００７１】
その後は、何れもステップＳ１６において、設定内容記憶部７７に記憶されている送風部１３からの風量のレベルを、表示制御部７６がリモコン表示部６１に表示させる。このときにもリモコン表示部６１の視認性を良好にするために、リモコン表示部６１は、ＬＣＤ５９のレベル表示部５９Ｃに、変更後の設定内容として送風部１３からの風量のレベルを表示した状態で、バックライト６０が一定時間だけ点灯する。
【００７２】
そして、次のステップＳ１７において、リモコン２の送信制御部７５は、扇風機本体１に設定されている風量のレベルを一段階増加させるための風量ＵＰコードを含んだ赤外線信号を、リモコン送信部６３から送信させ、リモコン２としての一連の動作をステップＳ１８で終了する。
【００７３】
この赤外線信号が扇風機本体１の受光部６８に到達すると、扇風機本体１が運転中であれば、それまでよりも送風部１３の風量が１段階強くなる。扇風機本体１の制御部６９は、リモコン２からの風量ＵＰコードを含んだ赤外線信号を受光部６８で受信すると、扇風機本体１とリモコン２との設定内容を一致させるために、リモコン２のステップＳ１２〜Ｓ１５と同様の手順を、設定内容記憶部８４との間で実行する。
【００７４】
図１５は、風量ＤＯＷＮボタン５８Ｅを操作したときのリモコン２側の制御手順を示したものである。同図において、リモコン２の送信制御部７５は、ステップＳ２１で風量ＤＯＷＮボタン５８Ｅへの操作に伴う操作信号を受付けると、次のステップＳ２２で、設定内容記憶部７７に記憶していた現在の扇風機本体１の運転状態が、運転中であるか否かを判断する。扇風機本体１の運転状態は送風機１３からの風量のレベルで記憶しているので、風量が１〜７の何れかのレベルであれば、リモコン２の送信制御部７５は、扇風機本体１が運転中であると判断して、次のステップＳ２３で、その風量のレベルに１を減じた新たな風量のレベルを、扇風機本体１の運転状態と送風部１３からの風量のレベルとして設定内容記憶部７７に上書き記憶させる。但しここでは、送風部１３が送風動作を行なう風量の最低レベルを予め「１」としているため、次のステップＳ２４で新たな風量が最高レベルである１よりも小さかったら、ステップＳ１５でこれを１にしてステップＳ２６に移行し、ステップＳ１４で新たな風量が１以上であれば、そのままステップＳ２６に移行する。
【００７５】
一方、前述のステップＳ２２で、扇風機本体１の運転状態が風量０のレベルとして記憶されていれば、設定内容記憶部７７に記憶している扇風機本体１の運転状態と送風部１３からの風量のレベルはそのまま変更後の設定内容にして、ステップＳ２６に移行する。
【００７６】
その後は、何れもステップＳ２６において、設定内容記憶部７７に記憶されている送風部１３からの風量のレベルを、表示制御部７６がリモコン表示部６１に表示させる。このときにもリモコン表示部６１の視認性を良好にするために、リモコン表示部６１は、ＬＣＤ５９のレベル表示部５９Ｃに、変更後の設定内容として送風部１３からの風量のレベルを表示した状態で、バックライト６０が一定時間だけ点灯する。
【００７７】
そして、次のステップＳ２７において、リモコン２の送信制御部７５は、扇風機本体１に設定されている風量のレベルを一段階増加させるための風量ＤＯＷＮコードを含んだ赤外線信号を、リモコン送信部６３から送信させ、リモコン２としての一連の動作をステップＳ１８で終了する。
【００７８】
この赤外線信号が扇風機本体１の受光部６８に到達すると、扇風機本体１が運転中であれば、それまでよりも送風部１３の風量が１段階弱くなる。扇風機本体１の制御部６９は、リモコン２からの風量ＤＯＷＮコードを含んだ赤外線信号を受光部６８で受信すると、扇風機本体１とリモコン２との設定内容を一致させるために、リモコン２のステップＳ２２〜Ｓ２５と同様の手順を、設定内容記憶部８４との間で実行する。
【００７９】
図１６は、転送ボタン５８Ｈを操作したときのリモコン２側の制御手順を示したものである。転送ボタン５８Ｈは、リモコン表示部６１に表示されるリモコン２側の設定内容に対して、扇風機本体１の実際の動作が一致しない場合に、使用者の意志で操作されるものである。同図において、リモコン２の送信制御部７５は、ステップＳ３１で転送ボタン５８Ｈへの操作に伴う操作信号を受付けると、次のステップＳ３２で、扇風機本体１の設定内容記憶部８４に記憶されている全ての設定内容をクリアさせるために、前述の再設定信号の一部となるオールリセットコードを含んだ赤外線信号を、リモコン送信部６３から送信させる。
【００８０】
この赤外線信号を受光部６８で受信した扇風機本体１は、設定内容記憶部８４にそれまで記憶されていた全ての設定内容が、制御部６９によりリセットされ初期状態となる。
【００８１】
リモコン２の送信制御部７５は、ステップＳ３３において、この間の扇風機本体１側の処理時間（約0.3秒）をカウントした後に、次のステップＳ３４で、設定内容記憶部７７に記憶していた現在の扇風機本体１の運転状態が、運転中であったのか否かを判断する。扇風機本体１の運転状態は送風部１３からの風量のレベルで記憶しているので、風量が１〜７の何れかのレベルであれば、リモコン２の送信制御部７５は、扇風機本体１が運転中であったと判断して、次のステップＳ３５で、設定内容記憶部７７に記憶していた送風部１３からの風量のレベルと同じ回数の風量ＵＰコードを含んだ赤外線信号を、残りの一部の再設定信号としてリモコン送信部６３から送信させる。
【００８２】
例えば、設定内容記憶部７７に記憶されていた送風部１３からの風量のレベルが「５」であれば、風量ＵＰコードを含んだ赤外線信号が、リモコン送信部６３から一定間隔で５回送信される。これを受光部６８で受信した扇風機本体１の制御部６９は、扇風機本体１の運転状態を風量のレベルが５である運転中にし、送風機１３からの風量のレベルも５にして、それぞれ設定内容記憶部８４に上書き記憶させる。以後、扇風機本体１の制御部６９は、リモコン２側と同じ設定内容で送風が行われるように、送風部１３の動作を制御することができる。
【００８３】
この後、リモコン２側ではステップＳ３６に移行して、設定内容記憶部７７に記憶されている送風部１３からの風量のレベルを、表示制御部７６がリモコン表示部６１に表示させ、一連の動作をステップＳ３７で終了する。このときにもリモコン表示部６１は、ＬＣＤ５９のレベル表示部５９Ｃに送風部１３からの風量のレベルを表示した状態で、バックライト６０が一定時間だけ点灯する。
【００８４】
図１７は、前述のオールリセットコードを含んだ赤外線信号を受信したときの、扇風機本体１側の制御手順を示したものである。同図において、受光部６８がオールリセットコードを含んだ赤外線信号をステップＳ４１で受信すると、扇風機本体１の制御部６９は、設定内容記憶部８４に記憶されている全ての設定内容をクリアして初期状態に戻すために、次のステップＳ４２で扇風機本体１の運転状態も風量のレベルを０、すなわち切にし、続くステップＳ４３で送風部１３からの風量（記憶風量）のレベルも０にする。そして、扇風機本体１側に風量の表示部があれば、ステップＳ４４に移行して、その表示部に初期状態の風量を表示させ、一連の手順をステップＳ４５で終了する。この後の扇風機本体１側の動作手順は、上述した通りである。
【００８５】
なお、図１３〜図１７のフローチャートでは、主に送風部１３の風量に関する設定内容について説明したが、他の設定内容も基本的に同じような手順で処理が行われる。例えば、リモコン２側で首振りボタン５８Ｂを操作して、送風部１３の首振り角度を切換えるための首振り角度切換コードを含んだ赤外線信号が、リモコン送信部６３から扇風機本体１の受光部６８に到達するたびに、首振り制御部８３が首振り用モータ７９の動作を制御して、送風部１３の首振り角度を０°（すなわち、首振り解除）と、50°と、80°の何れかにその都度切換えて、設定内容記憶部８４に上書き記憶させることもできる。このとき、リモコン２の表示制御部７６は、送風部１３の首振り角度を、リモコン表示部６１から使用者の手元で知らせるために、首振り角度を０°に切換えた場合には首振り角度表示部５９Ａを点灯させず、首振り角度を50°に切換えた場合には首振り角度表示部５９Ａの「50°」を点灯させ、首振り角度を90°に切換えた場合には首振り角度表示部５９Ａの「90°」を点灯させる。
【００８６】
また、リモコン２側でランダム切換ボタン５８Ｃを操作して、送風部１３からの送風の種類を切換えるためのランダム切換コードを含んだ赤外線信号が、リモコン送信部６３から扇風機本体１の受光部６８に到達するたびに、送風制御部８１がＤＣファンモータ２１の動作を制御して、送風部１３からの風量が一定で変化しない連続風と、送風部１３からの風量が強弱して複雑に変化するランダム風の何れかにその都度切換えて、設定内容記憶部８４に上書き記憶させることもできる。このとき、リモコン２の表示制御部７６は、連続風またはランダム風のいずれで送風が行われているのかを、リモコン表示部６１から使用者の手元で知らせるために、ランダム風に送風を切換えた場合にはランダム表示部５９Ｂを点灯させ、連続風に送風を切換えた場合にはランダム表示部５９Ｂを消灯させる。
【００８７】
さらに扇風機本体１の運転中に、リモコン２側でタイマ切ボタン５８Ｆを操作して、扇風機本体１の運転を自動的に停止させるためのタイマ切コードを含んだ赤外線信号が、リモコン送信部６３から扇風機本体１の受光部６８に到達するたびに、制御部６８が扇風機本体１の運転を停止するまでのタイマ切時間を、例えば０時間（すなわち、タイマ解除）と、１時間と、２時間と、４時間の何れかにその都度切換えて、設定内容記憶部８４に上書き記憶させることもできる。このとき、リモコン２の表示制御部７６は、設定したタイマ切時間を、リモコン表示部６１から使用者の手元で知らせるために、タイマ切時間を０時間に切換えた場合にはタイマ切時間表示部５９Ｄを点灯させず、タイマ切時間を１時間に切換えた場合にはタイマ切時間表示部５９Ｄの「１」を点灯させ、タイマ切時間を２時間に切換えた場合にはタイマ切時間表示部５９Ｄの「２」を点灯させ、タイマ切時間を４時間に切換えた場合にはタイマ切時間表示部５９Ｄの「４」を点灯させる。また制御部６９は、設定内容記憶部８４に上書き記憶して設定した新たなタイマ切時間が０時間以外であれば、計時部５２でカウントした時間が設定したタイマ切時間に達した時点で、扇風機本体１の運転を自動的に停止させ、設定した新たなタイマ切時間が０時間であれば、そのような自動的な停止を解除する。
【００８８】
一方、扇風機本体１の運転停止中や、タイマ切時間を設定した後に、リモコン２側でタイマ入ボタン５８Ｇを操作して、扇風機本体１の運転を自動的に開始させるためのタイマ入コードを含んだ赤外線信号が、リモコン送信部６３から扇風機本体１の受光部６８に到達するたびに、制御部６８が扇風機本体１の運転を開始するまでのタイマ入時間を、例えば０時間（すなわち、タイマ解除）と、２時間と、４時間と、６時間の何れかにその都度切換えて、設定内容記憶部８４に上書き記憶させることもできる。このとき、リモコン２の表示制御部７６は、設定したタイマ入時間を、リモコン表示部６１から使用者の手元で知らせるために、タイマ入時間を０時間に切換えた場合にはタイマ入時間表示部５９Ｅを点灯させず、タイマ入時間を２時間に切換えた場合にはタイマ入時間表示部５９Ｅの「２」を点灯させ、タイマ入時間を４時間に切換えた場合にはタイマ入時間表示部５９Ｅの「４」を点灯させ、タイマ入時間を６時間に切換えた場合にはタイマ入時間表示部５９Ｅの「６」を点灯させる。また制御部６９は、設定内容記憶部８４に上書き記憶して設定した新たなタイマ入時間が０時間以外であれば、計時部５２でカウントした時間が設定したタイマ入時間に達した時点で、扇風機本体１の運転を自動的に開始させ、設定した新たなタイマ入時間が０時間であれば、そのような自動的な開始を解除する。
【００８９】
そして、こうした送風部１３の首振り範囲や、送風部１３からの送風の種類や、扇風機本体１のタイマ入時間およびタイマ切時間を含めて、リモコン２の設定内容記憶部７７に記憶されている設定内容の全ては、転送ボタン５８Ｈを操作して、扇風機本体１の設定内容記憶部８４に記憶されている全ての設定内容をクリアさせた後に、その設定内容記憶部８４に新たに記憶されるようになっている。
【００９０】
次に、扇風機本体１の運転中の動作について説明すると、扇風機本体１の運転中に、ＤＣファンモータ２１への通電により送風ファン２２が回転すると、発電部４１からの誘導起電力が給電部４２のリード線４８を介して、表示部４３の白色ＬＥＤ４９に供給される。これにより、白色ＬＥＤ４９から発した光がモノグラム５０に導かれて、ファンガード２３の前面側でモノグラム５０全体が白色に発光し、送風ファン２２の回転数に合せて、モノグラム５０の明るさがリアルタイムに変化する。したがって、扇風機本体１からリモコン２を外した状態であれば、扇風機本体１の周辺にいる人は、モノグラム５０の明るさの程度から、現在の送風部１３の風量を目視で即座に確認することが可能となる。
【００９１】
またここでは、表示部４３を構成する白色ＬＥＤ４９やモノグラム５０が、送風部１３を構成するファンガード２３に設けられており、扇風機本体１の周辺にいる人は、立ったままの姿勢で現在の送風部１３の風量を、モノグラム５０全体からの面状の発光表示により良好に視認できる。そのため、本実施例でも店頭展示などで表示による製品の差別化を図ることができる。
【００９２】
しかも本実施例では、モノグラム５０をファンガード２３の前面中央部に位置する円板部３５に設けることで、送風ファン２２の回転数に合せて明るさが変化するモノグラム５０からの円形状の表示を、送風部１３の前面外周部で行なわせることが可能になる。これにより、店頭展示などで製品の視覚効果を著しく高めることが可能になる。
【００９３】
以上のように本実施例では、送風機能となる送風部１３を有する本体となる扇風機本体１と、この扇風機本体１を遠隔操作するリモコン２と、からなり、遠隔操作体となるリモコン２は、扇風機本体１の動作を設定するリモコン操作部５８と、リモコン操作部５８で操作された設定内容を表示するリモコン表示部６１と、を備え、扇風機本体１は、リモコン操作部５８への設定操作に連動して、リモコン２からの設定内容を受信部となる受光部６８で受信すると、設定内容記憶部８４に記憶されていた設定内容を可変し、その設定内容で送風部１３を含む負荷（運転ランプ１７、ＤＣファンモータ２１、首振り用モータ７９）を制御する構成とし、リモコン操作部５８はリセット操作体となる転送ボタン５８Ｈを有し、転送ボタン５８Ｈが操作されると、扇風機本体１の設定内容記憶部８４に記憶されていた全ての設定内容をクリアさせ、リモコン２で記憶していた全ての設定内容を、扇風機本体１に新たに記憶させる再設定信号が送出されるように、リモコン２の送信制御部７５を構成している。
【００９４】
この場合、リモコン２側の設定内容と扇風機本体１側の設定内容が一致しない場合は、転送ボタン５８Ｈを操作するだけで、扇風機本体１側の設定内容を一旦クリアさせた後に、リモコン２側の全ての設定内容を扇風機本体１側に新たに記憶させることができる。そのため、煩わしい操作を回避して、リモコン２側の設定内容を扇風機本体１側に反映させ、扇風機本体１が動作する同じ設定内容をリモコン表示部６１に表示させることが可能になる。またこれは、リモコン２側からの遠隔操作に伴い、扇風機本体１側の設定内容を変更する通常の処理の前に、扇風機本体１側の設定内容をクリアする処理を加えるだけで実現可能なため、扇風機としてのソフトウェア構成を簡略化できる。
【００９５】
また本実施例では、リモコン操作部５８による扇風機本体１の動作の設定を行なった後は、一定時間が経過したらリモコン表示部６１が消灯し、リモコン操作部５８を再度操作した場合は、リモコン表示部６１が設定内容記憶部７７に記憶されている前回の設定内容を継続して表示するか、或いはデフォルトで記憶されている初期状態の設定内容を表示するように、リモコン２側の表示制御部７６が制御する構成となっている。
【００９６】
これにより、リモコン操作部５８による扇風機本体１の動作の設定後に、リモコン表示部６１を消灯させることで、リモコン２の省電力化を図ることができる。また、リモコン２を再度使用する際に、前回の設定内容若しくは初期状態の設定内容をリモコン表示部６１に表示に表示させるので、リモコン２としての使い勝手を向上させることができる。
【００９７】
また、本実施例のリモコン表示部６１は、電池６５Ａ，６５Ｂの駆動で表示可能なバックライト６０付きのＬＣＤ５９で構成され、リモコン操作部５８への操作時にはバックライト６０を点灯し、リモコン操作部５８を操作しない時にはバックライト６０を消灯する構成としている。
【００９８】
この場合、リモコン操作部５８への操作時には、ＬＣＤ５９をバックライト６０で明るくしてリモコン表示部６１の視認性を良好にし、リモコン操作部５８への操作をしない時には、バックライト６０を消灯して電池６５Ａ，６５Ｂの電力消費を抑制することができる。
【００９９】
また本実施例では、電池６５Ａ，６５Ｂの残量が所定値よりも低下した場合は、リモコン操作部５８への操作時に、バックライト６０を点灯せずに消灯のままとするか、またはＬＣＤ５９に電池６５Ａ，６５Ｂの残量を表示させるように、リモコン２の表示制御部７６を構成している。
【０１００】
この場合、電池６５Ａ，６５Ｂの残量が低下したら、リモコン操作部５８を操作してもバックライト６０を消灯のままにして、電池６５Ａ，６５Ｂの電力消費を抑制することができ、或いは電池６５Ａ，６５Ｂの残量が低下していることを、使用者の手元でリモコン表示部６１からの表示により確認できる。
【０１０１】
また、本実施例の扇風機本体１は、ガードとなるファンガード２３で囲まれた送風ファン２２を備え、リモコン２は、ファンガード２３の外面を形成するモノグラム５０の表側に着脱可能に具備され、扇風機本体１の動作中にリモコン表示部６１の表示を継続するように、かつリモコン操作部５８への操作を受付けるように、送信制御部７５や表示制御部７６を構成している。
【０１０２】
ここでいう扇風機本体１の動作中とは、送風部１３による送風中だけでなく、タイマ入時間になるまでの扇風機本体１の待機中を含む。また、扇風機本体１の動作中にリモコン表示部６１の表示を継続させるには、前述した扇風機本体１の運転状態が運転中であると判断した場合や、タイマ入時間を０時間以外に設定した場合に、ＬＣＤ５９に設定内容を表示させ続ければよい。
【０１０３】
このように、扇風機本体１のファンガード２３の外面となる例えばモノグラム５０の表側にリモコン２を装着しておけば、使用者は扇風機本体１の動作中に、リモコン表示部６１からの表示により、扇風機本体１の動作の設定内容などを何時でも確認でき、またリモコン操作部５８への操作により、扇風機本体１の動作の設定内容などを何時でも変更できる。
【０１０４】
その他に本実施例では、回転する送風ファン２２をファンガード２３で囲んで構成される送風部１３と、送風部１３を床面Ｓより支持する支持基体１５と、ファンガード２３に設けられる表示部４３と、送風ファン２２の回転力を電力に変換する発電部４１と、を扇風機本体１に備え、送風ファン２２の回転数に合せて変化する電力を、リード線４８を介して表示部４３に供給するように発電部４１を構成している。
【０１０５】
この場合、送風ファン２２の回転数に見合う電力を発電部４１から表示部４３に供給することで、送風ファン２２の回転数に合せて表示部４３の明るさをリアルタイムに変化させることができ、現在の送風部１３の風量をその場で視認することが可能となる。また、送風部１３を支持する支持基体１５にではなく、送風部１３を構成するファンガード２３に表示部４３を設けることで、立ったままの姿勢で現在の風量を視認することができ、店頭展示などでも表示による製品の差別化を実現できる。
【０１０６】
また、本実施例の表示部４３は、発電部４１からの電力を受ける発光素子としての白色ＬＥＤ４９と、白色ＬＥＤ４９の光を導いて発光する導光体としてのモノグラム５０と、により構成している。
【０１０７】
そのため、白色ＬＥＤ４９のみによるスポット的な表示ではなく、白色ＬＥＤ７５からの光をモノグラム５０に導いて、面状の発光を行なわせることで、視認性を向上させた扇風機を提供できる。
【０１０８】
さらに本実施例では、送風ファン２２の回転中心前方に位置して、ファンガード２３の前面中央部に導光板となるモノグラム５０を配置している。
【０１０９】
この場合、ファンガード２３の前面中央部に設けたモノグラム５０によって、送風ファン２２の回転数に合せて変化する面状の表示を、送風部１３のいわば基点となる送風ファン２２の回転中心位置で行なわせることが可能になる。これにより、店頭展示などで視覚効果を著しく高めた扇風機を提供できる。
【０１１０】
また本実施例では、扇風機本体１とリモコン２との着脱機構として、扇風機本体１に備えた対をなすモノグラムマグネット５１Ａ，５１Ｂと、このモノグラムマグネット５１Ａ，５１Ｂに吸着可能で、リモコン２に備えた対をなすリモコンマグネット５２Ａ，５２Ｂとからなり、モノグラムマグネット５１Ａ，５１Ｂの極性を逆にして配置している。
【０１１１】
これにより、簡単な構成でありながら、リモコン２が上下逆に装着されるのを防ぐことができる。また、リモコン２は文字シート５５の文字やリモコン表示部６１の表示が上下逆になることなく、正しい方向に装着されるので、使用者Ｕは常に決められた方向でリモコン操作部５８への操作を行ない、またリモコン表示部６１からの表示を確認できる。
【実施例２】
【０１１２】
図１８および図１９は、何れも本発明の第２実施例における扇風機本体１とリモコン２からなる扇風機の外観を示している。また図２０は、扇風機本体１の要部分解図であり、図２１は扇風機本体１の要部斜視図である。
【０１１３】
これらの各図において、第１実施例と異なる構成について説明すると、扇風機本体１は、第１実施例の運転ランプ１７に代わって、後述する複数のキーやボタンによる本体操作部１０１の他に、ＬＥＤなどの本体表示部１０２を備えた操作パネル１０３が、ベース１１の上面前方に配設される。また受光部６８は、受信指向性の方向が各々異なるように配設された３個の赤外通信信号センサ６８Ａ，６８Ｂ，６８Ｃを有して構成される。赤外通信信号センサ６８Ａ，６８Ｂ，６８Ｃそのものは、リモコン２からの赤外線信号を受信するセンサとして広く流通しており、従来の集電型の赤外線検知センサと比較してコストの低減を図ることができる。センサの個数は、複数であれば特に限定されない。
【０１１４】
赤外通信信号センサ６８Ａ，６８Ｂ，６８Ｃは同一の構成で、何れも赤外線信号を受ける受光面を有する受光素子１０５と、受光素子１０５への赤外線信号の進入経路を制限するために、受光面の前方に配設される直線円筒状の指向性チューブ１０６と、により構成される。指向性チューブ１０６は、長さ（軸）方向の両端を開口して、その一端が受光素子１０５の受光面に臨んで受光素子１０５に取付けられており、他端はベース１１の側面に開口形成した窓孔１０７に臨んでいる。したがって、ベース１１に設けられる窓孔１０７も、赤外通信信号センサ６８Ａ，６８Ｂ，６８Ｃと同じ数を有する。
【０１１５】
本実施例では図２１に示すように、支柱１２を中心として、そこからベース１１の側面に向かう異なる各放射方向に、赤外通信信号センサ６８Ａ，６８Ｂ，６８Ｃおよび窓孔１０７がそれぞれ配設される。具体的には、扇風機本体１を正面から見て、第１の赤外通信信号センサ６８Ａはベース１１の左側に配置され、第２の赤外通信信号センサ６８Ｂはベース１１の中央に配置され、第３の赤外通信信号センサ６８Ｃはベース１１の右側に配置される。また、支柱１２から第２の赤外通信信号センサ６８Ｂに向かう放射方向を基準の０°として、そこから左側に４５°の角度αＬで延びる放射方向に第１の赤外通信信号センサ６８Ａが配置され、反対の右側に４５°の角度αＲで延びる放射方向に第３の赤外通信信号センサ６８Ｃが配置される。
【０１１６】
なお、上述した左右の角度αＬ，αＲは、４５°以外の例えば７０°であってもよい。また、ベース１１の側面だけではなく、ベース１１の上面にも窓孔１０７を開口形成して、その窓孔１０７に臨んで赤外通信信号センサを配設してもよい。何れの場合も、赤外線信号を発するリモコン２の方向を正しく特定するために、それぞれの赤外通信信号センサ６８Ａ，６８Ｂ，６８Ｃは指向性チューブ１０６が同じ方向を向かないように、つまり受信指向性の方向が各々異なるように、ベース１１の内部に所定の間隔を置いて配設される。
【０１１７】
本実施例では、筒状の指向性チューブ１０６を受光素子１０５の前方に設けただけの簡単な構成で、窓孔１０７から指向性チューブ１０６の内部に特定の方向で進入する赤外線信号だけを、受光素子１０５の受光面に到達させることができる。これにより、受光素子１０５そのものに赤外線信号の受信指向性を持たせて、特定の方向からの赤外線信号を、受光素子１０５で確実に受信することが可能になる。
【０１１８】
また、ベース１１は本来、扇風機本体１が簡単に倒れないように、平面視で床面Ｓに対して比較的広い範囲に扁平状を有して形成されるので、受光部６８は狭い範囲の支柱１２や送風部１３よりも、広い範囲のベース１１に設けるのが好ましい。ベース１１を受光部６８の取付け部として利用すれば、それぞれの赤外通信信号センサ６８Ａ，６８Ｂ，６８Ｃを十分な間隔で配置することができ、どの方向から無線信号が発せられたとしても、その無線信号を受光部６８で確実に受信して、無線信号の認識精度を向上させることが可能となる。
【０１１９】
送風部１３に組み込まれた給電部４２は、発電部４１で発生した誘導起電力を、ファンガード２３に設けた表示部４３だけでなく、モノグラム５０の表側に装着したリモコン２にも供給できるように、第１実施例のリード線４８に加えて、リモコン２への給電用の端子となる電極１０８などで構成される。導電性の電極１０８は、モノグラム５０の前面部に配置され、モノグラムマグネット５１Ａ，５１Ｂとリモコンマグネット５２Ａ，５２Ｂとの間の磁力を利用して、リモコン２をモノグラム５０の表側に装着して保持したときに、電極１０８を介してリモコン２へ電力の供給が行われるようになっている。また、リモコン２に内蔵する電池６５Ａ，６５Ｂは二次電池であり、発電部４１から供給された電力を電池６５Ａ，６５Ｂに蓄えて、リモコン２単体での使用時においても、電池６５Ａ，６５Ｂに蓄えた電力でリモコン２の各部を動作できるように構成される。変形例として、リモコン２をモノグラム５０に装着したときにのみ電極１０８を露出させるような、可動式のシャッター機構をファンガード２３に設けてもよい。
【０１２０】
図２２は、ベース１１の上面に設けた操作パネル１０３の外観を示したものである。同図において、操作パネル１０３は上述した本体操作部１０１や本体表示部１０２を備えて構成される。本体操作部１０１は、何れも押動操作が可能な複数の操作体として、運転切／入ボタン１１１Ａと、ランダム切換ボタン１１１Ｂと、風量強ボタン１１１Ｃと、風量弱ボタン１１１Ｄと、上下首振りボタン１１１Ｅと、左右首振りボタン１１１Ｆと、センサ運転ボタン１１１Ｇと、タイマ切ボタン１１１Ｈと、タイマ入ボタン１１１Ｉと、により構成される。本実施例では、本体操作部１０１の運転切／入ボタン１１１Ａを押すたびに、扇風機本体１の運転が開始または停止の何れかに切替わる構成となっている。
【０１２１】
本体表示部１０２は、信号受信ランプ１１２Ａ，１１２Ｂ，１１２Ｃと、室温表示部１１３Ａと、湿度表示部１１３Ｂと、風量表示部１１３Ｃと、上下首振りランプ１１４Ａと、左右首振りランプ１１４Ｂと、センサ運転モードランプ１１４Ｃと、タイマ切ランプ１１４Ｄと、タイマ入ランプ１１４Ｅと、により構成される。この中で、表示部１０２の信号受信ランプ１１２Ａ，１１２Ｂ，１１２Ｃは、前述の赤外通信信号センサ６８Ａ，６８Ｂ，６８Ｃに対応して、ベース１１の円周側面に沿ってそれぞれ配置される。
【０１２２】
図２３は、扇風機の主な電気的構成を示したものである。第１実施例の扇風機と比較すると、本実施例の扇風機本体１は、上述した本体操作部１０１および本体表示部１０２の他に、本体送信部１２１と、室温センサ１２２と、湿度センサ１２３がそれぞれ追加して設けられ、リモコン２は受光部１２４が追加して設けられる。これらの追加した構成について、扇風機本体１側の制御部６９の入力ポートには、本体操作部１０１と、室温センサ１２２と、湿度センサ１２３がそれぞれ電気的に接続され、制御部６９の出力ポートには、本体表示部１０２と、本体送信部１２１がそれぞれ電気的に接続される。また、リモコン３側のマイコン６４の入力ポートには、受光部１２４が電気的に接続される。
【０１２３】
本体送信部１２１は、リモコン２側の受光部１２４に向けて赤外線信号を送出するために、一乃至複数の赤外ＬＥＤ（図示せず）を含んで構成される。これにより本実施例では、扇風機本体１の本体送信部１２１からリモコン２の受光部１２４へと、リモコン２のリモコン送信部６３から扇風機本体１の受光部６８への、双方向の無線通信が可能になる。その他、室温センサ１２２は、扇風機本体１の周辺温度となる室温を検知する温度検知手段として、湿度センサ１２３は、扇風機本体１の周辺の湿度を検知する湿度検知手段として、それぞれ扇風機本体１に組み込まれる。
【０１２４】
扇風機本体１の制御部６９は、ソフトウェア上の機能として、第１実施例の運転ランプ制御部８２に代わり、主に本体表示部１０２の動作を制御する表示制御部１２６を備えている。また制御部６９は、本体操作部１２１からの操作信号を受けて、設定内容記憶部８４に新たな設定内容を上書き記憶させるたびに、その新たな設定内容に対応した固有のコードを含む赤外線信号が本体送信部１２１から送出されるように、本体送信部１２１を制御する送信制御部１２７をさらに備えている。したがって本実施例では、リモコン操作部５８からの操作だけなく、本体操作部１０１からの操作によっても、扇風機本体１の動作の設定内容を変更して、設定内容記憶部８４に上書き記憶でき、その変更した設定内容は、表示制御部１２６により本体表示部１０２にその都度表示させる構成となっている。
【０１２５】
一方、リモコン２側のマイコン６４は、本体送信部１２１から固有のコードを含む赤外線信号を受光部１２４が受信すると、設定内容記憶部７７に記憶されていたそれまでの設定内容を、受光部１２４で受信した固有のコードに対応する設定内容に変更して上書き記憶し、変更した設定内容を表示制御部７６によりリモコン表示部６１に表示させる構成を、ソフトウェア上の機能として新たに備えている。
【０１２６】
その他の構成は、第１実施例と共通しており、リモコン操作部５８への操作に伴う動作手順についても、図１３〜図１７の各フローチャートで説明した通りであるため、ここでは説明を省略する。
【０１２７】
上記構成の扇風機について、先ず本体操作部１０１の操作に伴う扇風機本体１の動作について説明する。運転切／入ボタン１１１Ａからの操作信号を受けて、制御部６９が扇風機本体１の運転を開始させると、送風制御部８１は設定内容記憶部８４に記憶保持された風量のレベルで、送風部１３からの送風が行われるように、ＤＣファンモータ２１に適切な駆動信号を供給するための制御信号を送出すると共に、首振り制御部８３も、設定内容記憶部８４に記憶保持された首振り範囲の角度で、送風部１３が左右および／または上下に揺動するように、首振り用モータ７９に適切な駆動信号を供給するための別な制御信号を送出する。
【０１２８】
表示制御部１２６は扇風機本体１の運転中に、設定内容記憶部８４に記憶した送風部１３からの風量のレベルを風量表示部１１３Ｃに表示させる。送風部１３からの風量は送風制御部８１により制御され、風量強ボタン１１１Ｃを押すたびに風量のレベルが１段階強くなり、風量弱ボタン１１１Ｄを押すたびに風量のレベルが１段階弱くなって、変更後の風量のレベルが設定内容記憶部８４に上書き記憶される。また送信制御部１２７は、設定内容記憶部８４に変更後の風量のレベルが上書き記憶させると、その風量のレベルに対応した固有のコードを含む赤外線信号を、本体送信部１２１からリモコン２に送出する。
【０１２９】
これをリモコン２の受光部１２４で受信すると、マイコン６４はそれまで記憶されていた風量のレベルに代えて、変更後の風量のレベルを設定内容記憶部７７に上書き記憶させ、表示制御部７６によりＬＣＤ５９のレベル表示部５９Ｃに表示させる。つまり、扇風機本体１の風量強ボタン１１１Ｃと風量弱ボタン１１１Ｄは、リモコン２の風量ＵＰボタン５８Ｄと風量ＤＯＷＮボタン５８Ｅと同等の機能を有し、扇風機本体１側の動作手順も、第１実施例におけるリモコン２の動作手順（ステップＳ１１〜Ｓ１８、Ｓ２１〜Ｓ２８）と同じものになる。
【０１３０】
その他、詳しい手順は重複するので一部省略するが、ランダム切換ボタン１１１Ｂを押すたびに、送風部１３からの風量が一定で変化しない連続風と、送風部１３からの風量が強弱して複雑に変化するランダム風の何れかに切換わる。表示制御部１２６は、現在の設定されている風量だけでなく、連続風またはランダム風のいずれで送風が行われているのかを、風量表示部１１３Ｃに表示させる。つまり、扇風機本体１のランダム切換ボタン１１１Ｂおよび風量表示部１１３Ｃは、リモコン２のランダム切換ボタン５８Ｃおよびランダム表示部５９Ｂと同等の機能を有する。
【０１３１】
扇風機本体１の運転中は、室温センサ１２２と湿度センサ１２３からの検知信号が制御部６９にそれぞれ取込まれる。これを利用して、表示制御部１２６は室温表示部１１３Ａに室温の目安を表示させると共に、湿度表示部１１３Ｂに湿度の目安を表示させる。また、センサ運転ボタン１１１Ｇを押すたびに、室温センサ１２２や湿度センサ１２３の検知結果に応じて設定されたセンサ運転モードが、例えば強めと、標準と、弱めの何れかに選択され、または解除される。センサ運転モードの動作中は、室温センサ１２２で検知した室温と、湿度センサ１２３で検知した室温に加えて、選択された強めと、標準と、弱めの何れかのモードに応じて、適切な風量が送風制御部８１で自動的に設定され、この設定された風量で送風部１３からの送風が行われるように、送風制御部６５がＤＣファンモータ２１の動作を制御する。ここでも表示制御部１２６は、設定された風量を風量表示部１１３Ｃに表示させると共に、どのモードが選択されているのかを、センサ運転モードランプ１１４Ｃに表示させる。
【０１３２】
また、扇風機本体１の運転中に、タイマ切ボタン１１１Ｈを押すたびに、運転を停止するまでのタイマ切時間が、例えば例えば０時間（タイマ解除）と、１時間と、２時間と、４時間の何れかに設定される。制御部６９は、タイマ切ボタン１１１Ｈからの操作信号を受けてタイマ切時間を設定すると、その設定されたタイマ切時間を、表示制御部１２６によりタイマ切ランプ１１４Ｄに表示（０時間の場合は消灯）させ、内蔵する計時部でカウントした時間が設定したタイマ切時間に達した時点で、ＤＣファンモータ２１や、表示部５１や、首振り用モータ６４の各動作を終わらせて、扇風機本体１の運転を自動的に停止させる。つまり、扇風機本体１のタイマ切ボタン１１１Ｈおよびタイマ切ランプ１１４Ｄは、リモコン２のタイマ切ボタン５８Ｆおよびタイマ切時間表示部５９Ｄと同等の機能を有する。
【０１３３】
一方、扇風機本体１の運転停止中や、タイマ切時間を設定した後に、タイマ入ボタン１１１Ｉを押すたびに、運転を開始するまでのタイマ入時間が、例えば０時間（すなわち、タイマ解除）と、２時間と、４時間と、６時間の何れかに設定される。制御部６３は、タイマ入ボタン１１１Ｉからの操作信号を受けてタイマ入時間を設定すると、その設定されたタイマ入時間を、表示制御部１２６によりタイマ入ランプ１１４Ｅに表示（０時間の場合は消灯）させ、内蔵する計時部でカウントした時間が設定したタイマ入時間に達した時点で、扇風機本体１の運転を自動的に開始させる。つまり、扇風機本体１のタイマ入ボタン１１１Ｉおよびタイマ入ランプ１１４Ｅは、リモコン２のタイマ入ボタン５８Ｇおよびタイマ入時間表示部５９Ｅと同等の機能を有する。
【０１３４】
送風部１３の首振り運転の動作について説明すると、送風機１３から送風を行なう扇風機本体１の運転中に、上下首振りボタン１１１Ｅを押すたびに、上下の首振り運転が入または切の何れかに切替わる。首振り制御部８３は、上下首振りボタン１１１Ｅからの操作信号を受けて上下の首振り運転が入状態になると、送風部１３を上下方向に首振り動作させるために、首振り用モータ７９の動作を制御する。また表示制御部１２６は、上下の首振り運転を入に切替えると、上下首振りランプ１１４Ａを点灯させ、上下の首振り運転を切に切替えると、上下首振りランプ１１４Ａを消灯させる。
【０１３５】
一方、左右の首振り運転について、扇風機本体１の運転中に、左右首振りボタン１１１Ｆを押すたびに、左右の首振り運転のモードが、首振り角度を固定した０°（首振り解除）または90°と、首振り範囲を任意に設定できる「お好み」の何れかに切替わる。第１のモードとなる90°の首振り運転モードは、左右の首振り運転のモードが解除された状態から、左右首振りボタン１１２Ｆを一回押すと設定される。このとき送風制御部８１は、送風部１３を正面から見たときの左右の首振り中心線を基準として、そこから予め決められた角度、すなわち左側に45°の角度と、右側に同じ45°の角度の範囲に、送風部１３が左右方向に首振り動作するように、首振り用モータ７９の動作を制御する。また表示制御部１２６は、左右の首振り運転のモードを90°に切替えると、左右首振りランプ５４Ｂの「90°」に対応したランプだけを点灯させる。
【０１３６】
なお、上述した左右の角度は、45°以外であってもよい。但し、第１のモードでは、本体操作部１０１やリモコン操作部５８をいかに操作しても、予め設定された角度は変更できないようになっている。
【０１３７】
第２のモードとなるお好みの首振り運転モードは、左右の首振り運転のモードが解除された状態から、左右首振りボタン１１２Ｆを二回押すと設定される。このとき送風制御部８１は、左右の首振り中心線Ｃを基準として、そこから人が任意に設定した左側の角度と右側の角度の範囲に、送風部１３が左右方向に首振り動作するように、首振り用モータ７９の動作を制御する。また表示制御部１２６は、左右の首振り運転のモードをお好みに切替えると、左右首振りランプ１１４Ｂの「お好み」に対応したランプだけを点灯させる。
【０１３８】
第２のモードでは、扇風機本体１の操作部４１やリモコン操作部２８を適宜操作することにより、左右の角度がそれぞれ可変して設定され、記憶部６８に記憶保持される。本実施例では、左右の首振り中心線から左端までの角度を例えば20°とする一方で、右端までの角度を例えば異なる50°とすることができ、次に第２のモードを設定したときに、その角度で左右の首振り動作を再開させることができる。したがって、本実施例でいう送風部１３の首振り中心位置に対応する左右の首振り中心線は、第１のモードでは常に左右の首振り範囲の中心にあるが、第２のモードでは必ずしも左右の首振り範囲の中心にあるとは限らず、この場合は左右の首振り範囲を可変設定する際の基準となる。
【０１３９】
本実施例では、扇風機本体１に対する左右の首振り中心線を直接操作若しくは遠隔操作で指定することができる。直接操作は首振り装置１４の機構部分を利用して、支柱１２に対して可動部となる送風部１３および首振り装置１４を一体に手で動かすことで、左右の首振り中心線ひいては送風部１３からの風向を適宜調節できる。また図示しないが、上下方向についても同様に、送風部１３からの風向を手動で適宜調節できる。
【０１４０】
扇風機本体１の表示制御部１２６は、リモコン２からの赤外線信号を受信した赤外通信信号センサ６８Ａ，６８Ｂ，６８Ｃに対応して、本体表示部１０２の信号受信ランプ１１２，１１２Ｂ，１１２Ｃを一定時間点灯させる。これにより、リモコン操作部５８への操作の後に、どの赤外通信信号センサ６８Ａ，６８Ｂ，６８Ｃが赤外線信号を感知したのかを、すぐに理解することができる。
【０１４１】
また、リモコン操作部５８の中の特定のボタンを操作（例えば、風量ＵＰボタン５８Ｄと風量ＤＯＷＮボタン５８Ｅを同時に長押し）して、マイコン６４の送信制御部７５でリモコン２の位置方向検索モードを起動させておくと、一定の時間ごとに検索用の固有のコードを含む赤外線信号が、リモコン送信部６３から自動的に送信される。これを扇風機本体１の受光部６８で受信すると、そのたびに赤外通信信号センサ６８Ａ，６８Ｂ，６８Ｃの中で、最も受信レベルの高いセンサに対応した信号受信ランプ１１２，１１２Ｂ，１１２Ｃの何れかを一定時間点灯させる。このような検索機能を、扇風機本体１側の制御部６９に組み込むことで、使用者がリモコン２を見失っても、信号受信ランプ１１２，１１２Ｂ，１１２Ｃの表示を利用すれば、扇風機本体１から見てリモコン２がどの方向にあるのかを特定できる。またこの位置検索モードは、リモコン操作部５８の中の特定のボタンを再度操作すれば、すぐに解除できるので、電池６５Ａ，６５Ｂの不必要な電力消費を抑えることができる。
【０１４２】
なお本実施例では、リモコン表示部６１と本体表示部１０２は同じ内容、すなわち送風部１３からの風量のレベルと、送風部１３の首振り範囲の角度と、送風部１３からの送風の種類（連続風またはランダム風）と、扇風機本体１のタイマ時間（タイマ入時間およびタイマ切時間）を、どちらも表示できるようになっているが、それぞれが異なる表示画面や表示手段であってもよい。例えば、本体表示部１０２をＬＥＤ表示とする一方で、リモコン表示部６１はＬＣＤ表示としてもよい。また、時間の状態情報表示は、ON（入）またはOFF（切）までの残時間としてもよい。したがって、ここでいう時間には残時間の概念も含む。時間の代わりに、タイマ入やタイマ切の時刻を設定し、且つ表示できるようにしてもよい。
【０１４３】
また、扇風機本体１側の本体表示部１０２で、タイマ切ランプ１１４Ｄやタイマ入ランプ１１４Ｅに表示される時間や時刻と、室温表示部１１３Ａに表示される温度と、湿度表示部１１３Ｂに表示される湿度の何れかまたは全ての状態情報に連動して、リモコン表示部６１にも同じ内容の状態情報を表示できるように、扇風機本体１の送信制御部１２７が、その状態情報に対応した固有のコードを含む赤外線信号を本体送信部１２１から送出させ、リモコン２の表示制御部７６がこの赤外線信号を受けてリモコン表示部６１の動作を制御する構成としてもよい。これにより、本体表示部１０２に表示される状態情報の内容を、使用者の手元でリモコン表示部６１の表示からも確認できる。
【０１４４】
さらに変形例として、リモコン表示部６１と本体表示部１０２を同じ内容とした上で、リモコン操作部５８によりタイマ入時間やタイマ切時間を設定でき、これをリモコン表示部６１で表示できる段階数は、本体操作部１０１によりタイマ入時間やタイマ切時間を設定でき、これを本体表示部１０２で表示できる段階数よりも多くするのが好ましい。例えば、タイマ切時間が経過したら扇風機本体１の運転をオフにするオフタイマの場合、扇風機本体１側のタイマ切ボタン１１１Ｈによるタイマ切時間の設定は、６時間、４時間、２時間の３段階を、ＬＥＤによるタイマ切ランプ１１４Ｄで表示できるようにし、リモコン２側のタイマ切ボタン５８Ｆによるタイマ切時間の設定は、８時間、７時間、６時間、５時間、４時間、３時間、２時間、１時間の８段階を、ＬＣＤ５９の中のタイマ切時間表示部５９Ｄで、数字、マーク、文字により表示できるようにする。このとき、送風部１３からの風量のレベルや風速なども同様に、リモコン２側では扇風機本体１側よりも多段階の設定と表示を可能にしてもよい。
【０１４５】
リモコン２をモノグラム５０に装着した状態では、扇風機本体１の運転中に、ＤＣファンモータ２１への通電により送風ファン２２が回転すると、発電部４１からの誘導起電力が電極１０８を介してリモコン２に供給され、リモコン２に内蔵する電池６５Ａ，６５Ｂに蓄えられる。そのため、リモコン２をモノグラム５０から取り外した単体での使用時に、電池６５Ａ，６５Ｂに蓄えた電力でリモコン２から赤外線信号を送信することができ、リモコン２の放電に起因する煩わしい電池交換などを省くことが可能となる。また、回転する磁石４５はモノグラム５０に常時覆われるため、人が発電部４１の存在を意識することがなく、扇風機本体１を運転させたときのファン２２の回転力を、リモコン２への電力の供給に有効利用することができる。
【０１４６】
以上のように本実施例では、送風機能となる送風部１３を有する本体となる扇風機本体１と、この扇風機本体１を遠隔操作するリモコン２と、からなり、遠隔操作体となるリモコン２は、扇風機本体１の動作を設定するリモコン操作部５８と、リモコン操作部５８で操作された設定内容を表示するリモコン表示部６１と、を備え、扇風機本体１は、リモコン操作部５８への設定操作に連動して、リモコン２からの設定内容を受信部となる受光部６８で受信すると、設定内容記憶部８４に記憶されていた設定内容を可変し、その設定内容で送風部１３を含む負荷（運転ランプ１７、ＤＣファンモータ２１、首振り用モータ７９）を制御する構成とし、扇風機本体１からの新たな設定内容を受光部１２４で受信すると、リモコン２の設定内容記憶部７７に記憶されていたそれまでの設定内容を、扇風機本体１からの設定内容に変更して記憶し、変更した設定内容をリモコン表示部６１に表示させるように、リモコン２のマイコン６４に組み込まれた表示制御部７６を構成している。
【０１４７】
この場合、リモコン２が扇風機本体１側の動作を反映した設定内容を一度受信すれば、リモコン２側でそれまで記憶されていた設定内容が、扇風機本体１側から受信した新たな設定内容に変更して記憶され、以後その変更した設定内容がリモコン表示部６１に表示される。そのため、扇風機本体１からリモコン２への一度の送信だけで、扇風機本体１側の動作を反映した設定内容を、リモコン表示部６１に常に表示させることが可能になる。
【０１４８】
また、本実施例の扇風機本体１は、少なくとも時間や時刻、温度、または湿度の状態情報を表示する本体表示部１０２を備えており、この本体表示部１０２に連動して、リモコン表示部６１に同内容の状態情報を表示するように、扇風機本体１の送信制御部１２７と、リモコン２の表示制御部７６を構成している。
【０１４９】
これにより、本体表示部１０２に表示される状態情報の内容を、使用者の手元でリモコン表示部６１の表示により直ちに確認できる。
【０１５０】
また本実施例では、送風機能を有する本体となる扇風機本体１と、扇風機本体１を遠隔操作するリモコン２と、からなり、リモコン２は、扇風機本体１の動作を設定するリモコン操作部５８と、リモコン操作部５８で操作された設定内容を表示するリモコン表示部６１と、を備え、扇風機本体１は、扇風機本体１の動作を設定する本体操作部１０１と、本体操作部１０１で操作された設定内容を表示する本体表示部１０２と、を備え、リモコン表示部６１と本体表示部１０２は同内容を表示し、且つリモコン操作部５８による設定とリモコン表示部６１による表示は、本体操作部１０１による設定と本体表示部１０２による表示よりも多段階に可能となるように構成してもよい。
【０１５１】
この場合、リモコン操作部５８から操作できる設定内容と、それによりリモコン表示部６１で表示できる設定内容の数は、本体操作部１０１から操作できる設定内容と、それにより本体表示部１０２で表示できる設定内容の数よりも多くなる。したがって、リモコン２側での操作内容を充実させて、リモコン２の使い勝手の良さを十分に活用できる扇風機を提供できる。
【０１５２】
また、本実施例のリモコン２は発信手段となるリモコン送信部６３を備えており、扇風機本体１は、リモコン送信部６３からの信号として、検索用の固有のコードを含む赤外線信号を受信することで、リモコン２の位置方向を検索できる構成を有している。
【０１５３】
この場合、使用者がリモコン２を見失っても、扇風機本体１側の制御部６９に組み込まれたリモコン２の検索機能により、リモコン２の位置方向を特定できる。
【０１５４】
また、本実施例のリモコン２は、駆動電源として二次電池となる電池６５Ａ，６５Ｂを備え、扇風機本体１は充電手段となる発電部４１と給電部４２を備え、リモコン２を扇風機本体１に装着したときに、発電部４１と給電部４２により電池６５Ａ，６５Ｂへの充電が可能となるように構成している。
【０１５５】
この場合、リモコン２を扇風機本体１に装着すると、リモコン２の駆動電源となる電池６５Ａ，６５Ｂを充電できるので、電池交換などの煩わしさを省くことができる。
【０１５６】
その他、本実施例において第１実施例と共通する構成については、第１実施例と同様の作用効果を発揮する。また、これらの実施例に共通して、扇風機本体１を、送風ファン２２がプロペラ式ではなくシロッコファン式で、縦長スリム状のタワー型や、扇風機本体１が床Ｓにではなく壁に設置される壁掛け式や、送風部１３による送風が空気の循環を主目的としたサーキュレータータイプとしても構わない。これにより、支柱１２の上方に送風ファン２２を有する通常のリビング扇風機に限らず、様々な種類の扇風機にも適用できる。
【実施例３】
【０１５７】
図２４〜図２６は、何れも本発明の第３実施例における扇風機本体１とリモコン２からなる扇風機の外観を示している。
【０１５８】
これらの各図において、第１実施例や第２実施例と異なる構成について説明すると、本実施例では、リモコン２がファンガード２３の外面にではなく、ベース１１と送風部１３との間に備えた支柱１２に着脱可能に設けられる。より具体的には、支柱１２にはリモコン２を保持するためのホルダ部材１３１が設けられ、ホルダ部材１３１は、支柱１２の正面側に設けられる有底状の収容凹部１３２と、収容凹部１３２の左右端部より延びて、支柱１２の両側面に係合する一対の腕部１３３とにより構成される。これにより、ホルダ部材１３１を支柱１２に取付けた状態で、縦長状のリモコン２の底部を収容凹部１３２に収容載置すると、リモコン２の背面が支柱１２に自ずと寄り掛かって、リモコン２が支柱１２に装着される。また、ここからリモコン２を持ち上げれば、支柱１２からリモコン２を簡単に取り外すことができる。
【０１５９】
本実施例の扇風機本体１は、ファンガード２３の正面に配置される円板部３５を化粧板とし、前述した発電部４１や、給電部４２や、表示部４３を設けていないが、これらを設けた構成であってもよい。また、受光部６８を第２実施例のような複数個の赤外通信信号センサを有して構成してもよく、本体操作部１０１と本体表示部１０２を含む操作パネル１０３に代わって、第１実施例のような運転ランプ１７を配設してもよい。
【０１６０】
本実施例のリモコン２は、第１実施例や第２実施例と外形形状は異なるものの、それ以外の構成は共通する。また、扇風機本体１を含む扇風機の主な電気的構成も、既に説明した第１実施例や第２実施例と共通する。これらの共通する構成について、リモコン操作部５８や本体操作部１０１への操作に伴う動作手順や、作用効果については前述した通りなので、重複する説明は省略する。
【０１６１】
リモコン２は、少なくとも扇風機本体１の支柱１２に装着された状態で、リモコン表示部６１の表示が維持されるように構成される。これは、例えば扇風機本体１のホルダ部材１３１に突起（図示せず）などの係合体を設ける一方で、リモコン２にスイッチ機構１３５を設け、リモコン２をホルダ部材１３１に収容したときに、突起がスイッチ機構１３５を押している限り、現在の設定内容をリモコン表示部６１に表示させ続けるように、表示制御部７６がリモコン表示部６１を制御してもよい。代わりに、第２実施例で説明した給電部４１と、電極１０８を含む給電部４２を、扇風機本体１の支柱１２やホルダ部材１３１に配設することで、少なくともリモコン１を支柱１２に装着して、電極１０８を通じてリモコン２に電力を供給している間は、現在の設定内容をリモコン表示部６１に表示させ続けるように、表示制御部７６がリモコン表示部６１を制御してもよい。何れも、扇風機本体１の支柱１２にリモコン２を装着しておけば、使用者はリモコン表示部６１を利用して、扇風機本体１の動作の設定内容などを何時でも確認できる。
【０１６２】
また、リモコン２を支柱１２に装着した状態で、リモコン２と扇風機本体１とを違和感なく一体的に見せるために、リモコン２の外観色が例えば白色である場合、ホルダ部材１３１を含めた支柱１２も同じ白色または白色系の色とする。
【０１６３】
なお、ホルダ部材１３１は支柱１２と一体に設けてもよく、リモコン２を支柱１２に着脱できれば、ホルダ部材１３１以外の構成を用いてもよい。例えば、支柱１２にフックを設け、このフックにリモコン２を吊り下げる構成とすることもできる。また、上述したマグネットの磁力を利用した着脱構造でも構わない。
【０１６４】
以上のように本実施例では、底面をなすベース１１と、ベース１１の上方に設けられる送風ファン２２との間に支柱１２を備えて、扇風機本体１が構成され、リモコン２は支柱１２に着脱可能に具備され、扇風機本体１にリモコン２を装着した状態で、リモコン表示部６１の表示が維持できるように構成している。
【０１６５】
これにより、扇風機本体１の支柱１２にリモコン２を装着しておけば、使用者はリモコン表示部６１からの表示により、扇風機本体１の動作の設定内容などを何時でも確認できる。
【０１６６】
また本実施例では、リモコン２の外観色を支柱１２と同じまたは同系の色となるようにしている。
【０１６７】
そのため、扇風機本体１の支柱１２にリモコン２を装着した状態で、リモコン２と扇風機本体１とを一体的に見せることができ、扇風機としての美観を向上させることが可能となる。
【０１６８】
本発明は上記実施例に限定されるものではなく、本発明の趣旨を逸脱しない範囲で種々の変更可能である。例えば実施例中の「部」と「手段」は、どちらに置き換えても構わない。また、各実施例で説明した技術的な特徴を、適宜組み合わせた扇風機としてもよい。
【符号の説明】
【０１６９】
１  扇風機本体（本体）
２  リモコン
１１  ベース
１２  支柱
１３  送風部（送風機能、負荷）
２２  送風ファン
２３  ファンガード（ガード）
４１  発電部（充電手段）
４２  給電部（充電手段）
５８  リモコン操作部
５８Ｈ  転送ボタン（リセット操作体）
５９  ＬＣＤ
６０  バックライト
６１  リモコン表示部
６３  リモコン送信部（発信手段）
６５Ａ，６５Ｂ  電池（二次電池）
１０１  本体操作部
１０２  本体表示部
【図１】
2020029856.tif 000003
【図２】
2020029856.tif 000004
【図３】
2020029856.tif 000005
【図４】
2020029856.tif 000006
【図５】
2020029856.tif 000007
【図６】
2020029856.tif 000008
【図７】
2020029856.tif 000009
【図８】
2020029856.tif 000010
【図９】
2020029856.tif 000011
【図１０】
2020029856.tif 000012
【図１１】
2020029856.tif 000013
【図１２】
2020029856.tif 000014
【図１３】
2020029856.tif 000015
【図１４】
2020029856.tif 000016
【図１５】
2020029856.tif 000017
【図１６】
2020029856.tif 000018
【図１７】
2020029856.tif 000019
【図１８】
2020029856.tif 000020
【図１９】
2020029856.tif 000021
【図２０】
2020029856.tif 000022
【図２１】
2020029856.tif 000023
【図２２】
2020029856.tif 000024
【図２３】
2020029856.tif 000025
【図２４】
2020029856.tif 000026
【図２５】
2020029856.tif 000027
【図２６】
2020029856.tif 000028